(57)【要約】ユーザがサービスの解除をしたとき、ユーザに関する情報が残らないようにする。情報処理装置１の受信手段２は、外部装置７からユーザを識別するユーザ識別情報と、外部装置７を識別する装置識別情報と共に、特定のサービスの提供を要求するサービス識別情報を受信する。記憶手段３は、ユーザ識別情報、装置識別情報、およびサービス識別情報を関連付けて記憶媒体４に記憶する。削除手段５は、受信手段２によりユーザ識別情報、装置識別情報と共に、装置識別情報の削除を要求する削除要求情報が受信されたとき、サービス識別情報を削除した後に、装置識別情報を削除する。送信手段６は、削除手段５により削除が完了したことを示す完了情報を外部装置７に対して送信する。
2005015420.tif 000002
【特許請求の範囲】
【請求項１】
ユーザからのサービス解除の要求により記憶している情報を削除する情報処理装置において、
外部装置からユーザ識別情報と共に、サービスの提供を要求する特定のサービスを示すサービス識別情報を受信する受信手段と、
上記ユーザ識別情報および上記サービス識別情報を、予め登録された上記外部装置を識別する装置識別情報に関連付けて記憶する記憶手段と、
上記受信手段により上記ユーザ識別情報と上記装置識別情報と共に、上記装置識別情報の削除を要求する削除要求情報を受信したとき、上記サービス識別情報を削除した後、上記装置識別情報を削除する削除手段と、
上記削除手段により削除が完了したことを示す完了情報を上記外部装置に対して送信する送信手段と、
を有することを特徴とする情報処理装置。
【請求項２】
上記記憶手段に記憶中の上記サービス識別情報に関連付けられた上記装置識別情報により識別される上記外部装置に対して、上記サービスを提供するようにサービス提供装置に対して要求する
ことを特徴とする請求の範囲第１項に記載の情報処理装置。
【請求項３】
ユーザからのサービス解除の要求により記憶している情報を削除する情報処理システムにおいて、
ユーザを識別するユーザ識別情報と装置を識別する装置識別情報と共に、サービスの提供を要求する特定のサービスを示すサービス識別情報を受信する受信手段と、上記ユーザ識別情報、上記装置識別情報、および上記サービス識別情報を関連付けて記憶する記憶手段と、上記受信手段により上記ユーザ識別情報と上記装置識別情報と共に、上記装置識別情報の削除を要求する削除要求情報を受信したとき、上記サービス識別情報を削除した後、上記装置識別情報を削除する削除手段と、上記削除手段により削除が完了したことを示す完了情報を送信する送信手段と、を有する情報処理装置と、
上記ユーザ識別情報、上記装置識別情報、および上記サービス識別情報を上記情報処理装置に送信する情報送信手段と、上記装置識別情報を記憶する識別情報記憶手段と、上記識別情報記憶手段によって記憶された上記装置識別情報を削除する識別情報削除手段と、上記削除要求情報を送信する削除要求送信手段と、上記完了情報を受信する完了情報受信手段と、を有する外部装置と、
を有することを特徴とする情報処理システム。
【請求項４】
上記情報処理装置は、
上記外部装置から送信される、少なくとも上記ユーザ識別情報及び上記装置識別情報に基づき認証処理し、上記外部装置とのセッションＩＤである認証セッションＩＤを発行する認証手段を有し、上記送信手段が、上記認証セッションＩＤを上記外部装置に送信し、
上記外部装置は、
上記情報処理装置から受信した上記認証セッションＩＤと共に上記サービス識別情報を送信し、
上記情報処理装置は、
受信された上記認証セッションＩＤを認証し、受信された上記サービス識別情報に対応する認証チケットを発行して、上記送信手段により当該認証チケットを上記外部装置に送信し、
上記外部装置は、
上記送信手段により受信された上記認証チケットと共に上記サービスを提供するサーバにサービスの提供を要求するサービス要求信号を送信する
ことを特徴とする請求の範囲第３項に記載の情報処理システム。
【請求項５】
ユーザからのサービス解除の要求により記憶している情報を削除する情報処理装置の通信方法において、
外部装置からユーザ識別情報と上記外部装置を識別する装置識別情報と共に、サービスの提供を要求する特定のサービスを示すサービス識別情報を受信し、
上記ユーザ識別情報、上記装置識別情報、および上記サービス識別情報を関連付けて記憶し、
上記ユーザ識別情報と上記装置識別情報と共に、上記装置識別情報の削除を要求する削除要求情報を受信したとき、上記サービス識別情報を削除した後、上記装置識別情報を削除し、
削除が完了したことを示す完了情報を上記外部装置に対して送信する、
ことを特徴とする情報処理装置の通信方法。
【請求項６】
ユーザからのサービス解除の要求により記憶している情報を削除する情報処理装置の通信プログラムにおいて、
コンピュータに、
外部装置からユーザ識別情報と上記外部装置を識別する装置識別情報と共に、サービスの提供を要求する特定のサービスを示すサービス識別情報を受信し、
上記ユーザ識別情報、上記装置識別情報、および上記サービス識別情報を関連付けて記憶し、
上記ユーザ識別情報と上記装置識別情報と共に、上記装置識別情報の削除を要求する削除要求情報を受信したとき、上記サービス識別情報を削除した後、上記装置識別情報を削除し、
削除が完了したことを示す完了情報を上記外部装置に対して送信する、
処理を実行させることを特徴とする情報処理装置の通信プログラム。
【発明の詳細な説明】
【技術分野】  本発明は情報処理装置、情報処理システム、情報処理装置の通信方法、および情報処理装置の通信プログラムに関し、特にユーザからのサービス解除の要求により記憶している情報を削除する情報処理装置、情報処理システム、情報処理装置の通信方法、および情報処理装置の通信プログラムに関する。
【背景技術】  現在、インターネット上では、音楽に関する様々なサービスが行われている。例えば、市販されているＣＤ（Ｃｏｍｐａｃｔ  Ｄｉｓｃ）の楽曲情報、音声データ等を配信するサービス、ラジオ番組で現在放送している楽曲名称や演奏者名、楽曲が録音されているＣＤの名称や番号など楽曲の関連情報（ＮｏｗＯｎＡｉｒ：ナウオンエア）を提供するサービスが行われている。また、楽曲のディジタルデータを配信するサービス、ＣＤの通信販売のための注文受け付け等をするサービスが行われている。
これら各種サービスを統合してユーザにサービスを提供する情報処理装置（例えば、サーバ）がある。ユーザは、情報処理装置にユーザ登録することによって、様々なサービスを受けることができる。このとき、情報処理装置には、ユーザがアクセスするのに必要となる、ユーザの使用する装置を識別する装置識別情報が記憶される。
情報処理装置は、ユーザが要求するサービスを識別するサービス識別情報に基づいて、サービスの提供を行っている。このサービス識別情報は、ユーザを識別するユーザ識別情報と装置識別情報に関連付けて記憶される。情報処理装置は、これら記憶された情報によって、アクセスしてくるユーザを認証する。
一方、ユーザのサービスを受信する装置には、例えば、ハードディスクなどの不揮発性の記憶装置が具備され、情報処理装置へのアクセスに必要な装置識別情報が記憶される。
よって、情報処理装置のサービスを解除するときや、ユーザが使用する装置を他人に譲渡、転売するとき、ユーザの情報が露呈することがないよう、情報処理装置とユーザが使用する装置に記憶されている情報を削除することが必要となってくる。
なお、携帯端末がユーザの本人確認情報を受け付け、認証装置が携帯端末に入力された本人確認情報と携帯認証媒体に記憶された個人認証情報を基に個人認証を行うことにより、本人確認情報を入力するユーザ・インタフェースと個人認証機能を物理的に分離した個人認証システムがある。この個人認証システムでは、携帯認証媒体を財布やバッグに収納したまま本人確認操作を行うことができセキュリティと操作性を向上させることができる（例えば、特許文献１参照）。
【特許文献１】特開２００３−８５４９８号公報（段落番号〔００５９〕〜〔００９２〕、図１）。
しかし、情報処理装置において、サービス識別情報より先に装置識別情報を削除すると、ユーザはその後、情報処理装置へアクセスすることができなくなり、サービス識別情報を削除することができなくなるという問題点があった。
【発明の開示】
本発明はこのような点に鑑みてなされたものであり、サービス識別情報を確実に削除することができる情報処理装置、情報処理システム、情報処理装置の通信方法、情報処理装置の通信プログラムを提供することを目的とする。
本発明では上記問題を解決するために、ユーザからのサービス解除の要求により記憶している情報を削除する情報処理装置において、外部装置からユーザ識別情報と上記外部装置を識別する装置識別情報と共に、サービスの提供を要求する特定のサービスを示すサービス識別情報を受信する受信手段と、上記ユーザ識別情報、上記装置識別情報、および上記サービス識別情報を関連付けて記憶する記憶手段と、上記受信手段により上記ユーザ識別情報と上記装置識別情報と共に、上記装置識別情報の削除を要求する削除要求情報を受信したとき、上記サービス識別情報を削除した後、上記装置識別情報を削除する削除手段と、上記削除手段により削除が完了したことを示す完了情報を上記外部装置に対して送信する送信手段と、を有することを特徴とする情報処理装置が提供される。
このような情報処理装置によれば、外部装置を識別する装置識別情報の削除を要求する削除要求情報を受信したとき、サービス識別情報を削除した後に、装置識別情報を削除する。
本発明の情報処理装置によれば、アクセスするのに必要な情報である装置識別情報を削除する前にサービス識別情報を削除するので、サービス識別情報を確実に削除することができる。
【図面の簡単な説明】  図１は、本発明の原理を説明する原理図である。
図２は、第１の実施の形態におけるネットワークシステムを示す略線図である。
図３は、端末装置の外観を示す略線図である。
図４は、端末装置のハードウェアブロック図である。
図５は、端末装置のプログラムモジュール構成を示す略線図である。
図６は、総合サービスサーバのハードウェアブロック図である。
図７は、ユーザ登録の処理の流れを示したシーケンスチャートである。
図８は、シングルユーザの登録形態を説明する略線図である。
図９は、マルチユーザの登録形態を説明する略線図である。
図１０は、サービス開始処理についてのフローチャートである。
図１１は、ユーザ認証の処理の流れを示したフローチャートである。
図１２は、サービス解除の処理についてのシーケンスチャートである。
図１３は、第２のサービス解除の処理についてのシーケンスチャートである。
図１４は、第２の実施の形態における音楽関連サービス提供システムの全体構成を示す略線図である。
図１５は、クライアント端末の機能回路ブロックによるハードウェア構成を示すブロック図である。
図１６は、ディレクトリ構成を示す略線図である。
図１７は、ポータルサーバの機能回路ブロックによるハードウェア構成を示すブロック図である。
図１８は、音楽データ配信サーバの機能回路ブロックによるハードウェア構成を示すブロック図である。
図１９は、物販サーバの機能回路ブロックによるハードウェア構成を示すブロック図である。
図２０は、ラジオ放送情報配信サーバの機能回路ブロックによるハードウェア構成を示すブロック図である。
図２１は、クライアント端末及びポータルサーバ間のユーザ認証処理手順を示すシーケンスチャートである。
図２２は、クライアント端末及び音楽データ配信サーバ間のユーザ認証処理手順を示すシーケンスチャートである。
【符号の説明】
１……情報処理装置、２……受信手段、３……記憶手段、４……記憶媒体、５……削除手段、６……送信手段、７……外部装置、１０，５０ａ〜５０ｃ，５１ａ，５１ｂ……端末装置、１１，３５ａ……ＣＰＵ、１２……バス、１３……ＲＯＭ、１４……入力処理部、１５……操作入力部、１６……表示処理部、１７……表示装置、１９ａ，１９ｂ……メディアドライブ、２０……ＲＡＭ、２１……ＨＤＤ、２２……通信処理部、２３……ネットワークインタフェース、２４……オーディオデータ処理部、２５……スピーカ、２８……赤外線通信部、３０……ネットワーク、３１……ＣＤタイトル情報提供サーバ、３２……放送局サーバ、３３……音楽配信サーバ、３４……ＣＤショップサーバ、３５……総合サービスサーバ、４０……リモートコントローラ、４１ａ〜４１ｄ……方向キー、４２……決定キー、４３ａ〜４３ｃ……ファンクション選択キー、４４……ツールキー、４５……戻るキー、１０００……音楽関連サービス提供システム、１００２……クライアント端末、１００３……ポータルサーバ、１００４……音楽データ配信サーバ、１００５……物販サーバ、１００６……ラジオ放送情報配信サーバ、１０２３……制御部、１０２９……記憶媒体、１０３２……通信制御部、１０３７……認証処理部、１０３８……認証情報記憶部
【発明を実施するための最良の形態】（１）本発明の基本原理
以下、本発明の原理を図面を参照して詳細に説明する。
図１は、本発明の原理を説明する原理図である。図に示すように、情報処理装置１は、受信手段２、記憶手段３、記憶媒体４、削除手段５、および送信手段６を有している。情報処理装置１と外部装置７とは接続され、通信することができる。
情報処理装置１は、図示してないが、サービスを提供する複数のサーバと接続され、各サーバが提供するサービスを、外部装置７を使用するユーザ登録を行ったユーザに提供する。ユーザは、外部装置７より情報処理装置１にユーザ登録をすることにより様々なサービスを受けることができる。
ユーザはユーザ登録をすると、ユーザを識別するユーザ識別情報を取得する。このとき、ユーザは、外部装置７を識別する装置識別情報を外部装置７に記憶する。装置識別情報は、ユーザによって任意に決めることができる。情報処理装置１は、ユーザが複数の外部装置を有している場合に、装置識別情報によってユーザが使用することができる装置を識別する。外部装置７は、ユーザ識別情報と装置識別情報によって情報処理装置１にアクセスすることができる。
情報処理装置１の受信手段２は、外部装置７からユーザを識別するユーザ識別情報と、外部装置７を識別する装置識別情報と共に、サービスの提供を要求する、特定のサービスを示すサービス識別情報を受信する。
記憶手段３は、ユーザ識別情報、装置識別情報、およびサービス識別情報を関連付けて記憶媒体４に記憶する。
削除手段５は、受信手段２によりユーザ識別情報、装置識別情報と共に、装置識別情報の削除を要求する削除要求情報が受信されたとき、サービス識別情報を削除した後に、装置識別情報を削除する。
送信手段６は、削除手段５により削除が完了したことを示す完了情報を外部装置７に対して送信する。
以下、原理図の動作について説明する。情報処理装置１の受信手段２は、外部装置７からのユーザ登録によって、ユーザのユーザ識別情報、装置識別情報、およびサービス識別情報を受信する。
記憶手段３は、受信手段２によって受信されたユーザ識別情報、装置識別情報、およびサービス識別情報を記憶媒体４に記憶する。
外部装置７は、ユーザ識別情報、装置識別情報、およびサービス識別情報によって、情報処理装置１にアクセスし、サービスの提供を要求することができる。情報処理装置１は、サービス識別情報に基づき、そのサービスを実際に提供しているサーバのサービスを、ユーザが受けることができるようにする。
ユーザがサービス解除を行うとする。情報処理装置１の削除手段５は、受信手段２によりユーザ識別情報、装置識別情報と共に、装置識別情報の削除を要求する削除要求情報を受信したとき、サービス識別情報を削除した後、装置識別情報を削除する。
送信手段６は、削除手段５により削除が完了したことを示す完了情報を外部装置７に対して送信する。
このように、情報処理装置１は、外部装置７から装置識別装置の削除を要求する削除要求情報を受信したとき、サービス識別情報を削除した後、装置識別情報を削除するようにした。これによって、外部装置７が情報処理装置にアクセスできなくなり、サービス識別情報を削除することができなくなるということが防止され、サービス識別情報を確実に削除することができる。
（２）第１の実施の形態
次に、本発明の第１の実施の形態を図面を参照して詳細に説明する。以下の説明では、楽曲または楽曲集合に関する関連情報を保存する処理を、クリップと呼ぶこととする。
図２は、本発明の実施の形態に係るネットワークシステムを示す図である。端末装置１０は、ネットワーク３０を介して各種サーバに接続されている。ネットワーク３０は、例えば、インターネットである。サーバとしては、ＣＤタイトル情報提供サーバ３１、放送局サーバ３２、音楽配信サーバ３３、ＣＤショップサーバ３４、総合サービスサーバ３５などがある。
ＣＤタイトル情報提供サーバ３１は、市販されているＣＤの楽曲情報の配信サービスを行う。
放送局サーバ３２は、ＦＭ放送やテレビ（ＴＶ）放送等の放送局が管理するサーバであり、放送する楽曲の関連情報の提供サービスを行う。
なお、放送局サーバ３２により提供される関連情報の提供機能は、大別して次の２つに分かれる。第１の機能は、現在放送中の番組のナウオンエアを提供する機能である。第２の機能は、端末装置１０からの要求に応じて、既に放送した楽曲の関連情報（ＯｎＡｉｒＬｉｓｔ：オンエアリスト）を提供する機能である（オンエアリストには、各楽曲の関連情報も含まれる）。例えば、放送局サーバ３２は、指定された番組内で放送した楽曲の関連情報を提供したり、指定された時間帯内に放送した楽曲の関連情報を提供したりする。
音楽配信サーバ３３は、楽曲のディジタルデータ（楽曲データ）を配信するサービスを行うサーバである。例えば、音楽配信サーバ３３は、楽曲の購入手続きを行ったユーザの端末装置１０に対してのみ、楽曲データを提供する。また、音楽配信サーバ３３は、配信する楽曲の関連情報を提供することができる。
ＣＤショップサーバ３４は、ＣＤの通信販売のための注文受け付け等を行うサーバである。ＣＤショップサーバ３４は、試聴用の音声データ等の配信サービスや、販売しているＣＤに収録された楽曲の関連情報の提供サービスも行う。
総合サービスサーバ３５は、ネットワーク３０を介したサービスの提供窓口（ポータルサイト）として機能し、各種総合サービスの提供を仲介する。例えば、放送されている楽曲の関連情報の配信元を示す情報（例えば、ＵＲＬ（Ｕｎｉｆｏｒｍ  Ｒｅｓｏｕｒｃｅ  Ｌｏｃａｔｏｒ））を、端末装置１０に配信する。
このように、複数のサーバが、ネットワーク３０上の楽曲または楽曲集合に関する情報の提供サービスを行っている。すなわち、各サーバが、ネットワーク３０上の楽曲または楽曲集合のソースとして機能している。
なお、音楽配信サーバ３３とＣＤショップサーバ３４は、楽曲購入可能サーバである。したがって、ユーザが端末装置１０を操作して楽曲購入可能サーバにアクセスすれば、ネットワーク３０を介して実際に楽曲や楽曲の集合を購入できる。端末装置１０のユーザは、音楽配信サーバ３３に対して購入手続きを行うことで、音楽配信サーバ３３から楽曲データをダウンロードできる。また、端末装置１０のユーザは、ＣＤショップサーバ３４に対して購入手続きを行うことで、自宅にＣＤを宅配してもらうことができる。
端末装置１０は、ＣＤ２９ａ、ＭＤ（Ｍｉｎｉ  Ｄｉｓｃ）２９ｂ、ハードディスクドライブ（ＨＤＤ）２１等の記録媒体に、ローカル上の楽曲または楽曲の集合のソースを保持している。なお、ＣＤ２９ａとＭＤ２９ｂとは、可搬型の記録媒体であり、端末装置１０に対して容易に着脱できる。端末装置１０に対してどのようなローカルソースが用意されるかは、端末装置１０の種類、目的により異なる。
なお、図２に示したローカル上の楽曲または楽曲集合のソースは一例である。すなわち、端末装置１０のローカルに存在する記録媒体であれば、楽曲または楽曲集合を記録することで、ローカル上の楽曲または楽曲の集合のソースとして機能させることができる。
また、端末装置１０は、クリップした関連情報を記憶するクリップ情報記憶装置２１ａを備えている。クリップ情報記憶装置２１ａは、端末装置１０の二次記憶装置である。例えば、ＨＤＤ２１等の記憶領域の一部を、クリップ情報記憶装置２１ａとして機能させることができる。なお、端末装置１０は、クリップを楽曲に対しても、楽曲集合に対しても行うことができる。これにより、気になる楽曲が多数含まれたＦＭ番組、ＣＤアルバム等については、まるごとクリップすることで、１回のクリップ動作で、気になる楽曲集合の関連情報を記録することができる。
ところで、本実施の形態における端末装置１０は、楽曲の再生機能を有するオーディオ機器としての機能を兼ね備えている。
図３は、端末装置の外観を示す図である。図３に示すように、本実施の形態に係る端末装置１０は、一般的なシステムコンポと同様の外観をしている。端末装置１０は、装置本体１０ａ、スピーカ２５ａ，２５ｂ、およびリモートコントローラ４０で構成される。装置本体１０ａには、ＣＤやＤＶＤ（Ｄｉｇｉｔａｌ  Ｖｅｒｓａｔｉｌｅ  Ｄｉｓｃ）の再生機能、ＭＤの録音再生機能、およびＦＭ放送やＴＶ放送の受信機能を備えている。装置本体１０ａで生成した音声信号がスピーカ２５ａ，２５ｂに送られることで、スピーカ２５ａ，２５ｂから音が出力される。
また、装置本体１０ａには、表示装置１７が設けられている。表示装置１７には、再生中の楽曲の関連情報や、クリップによって保存された関連情報等が表示される。
リモートコントローラ４０は、装置本体１０ａを遠隔操作するための入力装置である。リモートコントローラ４０には複数の操作キーが設けられている。ユーザによって操作キーが押されると、赤外線等の無線の通信手段により、押された操作キーに応じた信号がリモートコントローラ４０から装置本体１０ａに送信される。
操作キーとしては、方向キー４１ａ〜４１ｄ、決定キー４２、ファンクション選択キー４３ａ〜４３ｃ、ツールキー４４、戻るキー４５等がある。
方向キー４１ａ〜４１ｄは、例えば、表示装置１７に表示されたカーソルや、フォーカスが当てられる場所を移動させるために使用される。４つの方向キー４１ａ〜４１ｄは、それぞれ上、下、左、右それぞれの方向に対応しており、押された方向キーに対応する方向にカーソル等が移動する。
決定キー４２は、例えば、表示装置１７に表示された内容を確定するために使用される。
ファンクション選択キー４３ａ〜４３ｃは、機能の選択に使用される。例えば、３つのファンクション選択キー４３ａ〜４３ｃは、それぞれ総合サービス利用機能、チューナ機能、ローカルコンテンツ管理機能に対応付けられている。そして、ファンクション選択キー４３ａ〜４３ｃの何れか１つが押されると、装置本体１０ａは、押されたファンクション選択キーに対応する機能の動作モードになる。
ツールキー４４は、表示装置１７上にツールメニューを表示させるためのボタンである。ツールメニュー内には、表示装置１７に表示されている内容に応じたコマンドが表示される。ツールメニューからユーザが任意のコマンドを選択し、そのコマンドに応じた処理を端末装置１０に実行させることができる。例えば、ユーザが方向キー４１ａ〜４１ｄを操作して任意のコマンドを選択し、さらに決定キー４２を押すことで、選択されたコマンドに応じた処理が端末装置１０で実行される。
戻るキー４５は、表示装置１７の表示内容を、直前の状態に戻すためのボタンである。
なお、リモートコントローラ４０には、図４に示したもの以外にも様々な操作キーを設けることができる。例えば、音量調節キー、ＣＤ等の再生キー、停止キーなどである。
次に、端末装置１０の内部構成を説明する。
図４は、端末装置のハードウェアブロック図である。図４に示すような端末装置１０により、楽曲等の様々なソースの管理、記録、再生が可能となる。
ＣＰＵ１１は、起動されたプログラムに基づいて端末装置１０の全体の制御、演算処理を行う。例えば、ネットワーク３０を介した通信動作、ユーザに対する入出力動作、メディアからのコンテンツ再生やクリップ、ＨＤＤ２１へのコンテンツ記憶やそのための管理、クリップ情報等に基づくネットワーク３０を介した情報検索などを行う。なお、本実施の形態の端末装置１０が対応して記録再生可能なコンテンツデータとしては、オーディオのコンテンツデータや動画のコンテンツデータである。ＣＰＵ１１はバス１２を介して各回路部との間で制御信号やデータのやりとりを行う。
ＲＯＭ（Ｒｅａｄ  Ｏｎｌｙ  Ｍｅｍｏｒｙ）１３は、ＣＰＵ１１が実行すべき動作プログラム、プログラムローダーや、各種演算係数、プログラムで用いるパラメータ等が記憶される。また、ＲＡＭ（Ｒａｎｄｏｍ  Ａｃｃｅｓｓ  Ｍｅｍｏｒｙ）２０には、ＣＰＵ１１が実行すべきプログラムが展開される。また、ＣＰＵ１１が各種処理を実行する際において必要となるデータ領域、タスク領域としても用いられる。
操作入力部１５は、端末装置１０の筐体に設けられた操作キーやジョグダイヤル、タッチパネルなどの各種操作子などを有する。なお、ＧＵＩ（Ｇｒａｐｈｉｃａｌ  Ｕｓｅｒ  Ｉｎｔｅｒｆａｃｅ）操作のためのキーボードやマウスが操作入力部１５として設けられてもよい。操作入力部１５で入力された情報は入力処理部１４において所定の処理が施され、ＣＰＵ１１に対して操作コマンドとして伝送される。ＣＰＵ１１は入力された操作コマンドに応答した機器としての動作が得られるように、所要の演算や制御を行う。
表示装置１７としては、例えば、液晶ディスプレイなどの表示デバイスが接続され、各種情報表示が行われる。ＣＰＵ１１が各種動作状態や入力状態、通信状態に応じて表示情報を表示処理部１６に供給すると、表示処理部１６は供給された表示データに基づいて表示装置１７に表示動作を実行させる。例えば、表示装置１７には、サーバ等から配信された関連情報の内容や、クリップ情報の内容が表示される。また、ネットワーク３０を介した楽曲の検索が行われた場合、検索結果が表示装置１７に表示される。
メディアドライブ１９ａ，１９ｂは、可搬型の記録媒体に記録された楽曲等のコンテンツを記録、再生（記録媒体によって再生のみの場合もある）することができるドライブである。なお、メディアドライブ１９ａ，１９ｂそれぞれが記録、または再生可能な記録媒体の種類は、１種類とは限らない。すなわち、複数の種類の記録媒体に対して記録、再生を行うことも可能である。例えば、メディアドライブ１９ａがＣＤ、ＤＶＤの再生を行い、メディアドライブ１９ｂがＭＤの記録再生を行うことも可能である。
なお、楽曲等のコンテンツを記録する可搬型の記録媒体としては、ＣＤ、ＤＶＤ等の光学的な記録媒体に限定されるべきものではない。例えば、フラッシュメモリなどの半導体メモリにより構成された記録媒体にコンテンツを格納することもできる。その場合、フラッシュメモリのリーダライタがバス１２に接続される。
ユーザは、メディアドライブ１９ａ，１９ｂに、任意のコンテンツが記録された記録媒体（ＣＤ，ＤＶＤ，ＭＤなど）を挿入し、リモートコントローラ４０の所定の操作を行うことで、楽曲等を鑑賞することができる。例えば、ユーザがリモートコントローラ４０を操作し、メディアドライブ１９ａによる再生指示を行うと、ＣＰＵ１１はメディアドライブ１９ａに対してコンテンツの再生を指示する。これに応じて、メディアドライブ１９ａは、装填されている記録媒体から、指定されたコンテンツにアクセスして読み出しを実行する。
このようにして読み出されたコンテンツが、オーディオコンテンツである場合には、必要に応じてＣＰＵ１１の処理によってデコード処理等が施された後、オーディオデータ処理部２４に転送される。オーディオデータ処理部２４においては、イコライジング等の音場処理や音量調整、Ｄ／Ａ変換、増幅等の処理が施され、スピーカ部２５から出力される。なお、スピーカ部２５は、図３に示したような複数のスピーカ２５ａ，２５ｂで構成され、ステレオで音声を出力することができる。
また、メディアドライブ１９ａ，１９ｂにて再生されたコンテンツは、ＣＰＵ１１の制御によって、ＨＤＤ２１にオーディオデータファイルとして蓄積することもできる。なお、このオーディオデータファイルの形式としては、ＣＤフォーマットにおけるサンプリング周波数４４．１ＫＨｚで１６ビット量子化のデジタルオーディオデータとしてもよい。ＨＤＤ２１の容量を節約するために、所定方式にしたがって圧縮処理が施された形式の圧縮オーディオデータとされてもよい。また、圧縮方式としても限定されるものではないが、ＡＴＲＡＣ（Ａｄｖａｎｃｅｄ  Ｔｒａｎｓｆｏｒｍ  Ａｃｏｕｓｔｉｃ  Ｃｏｄｉｎｇ、商標）方式やＭＰ３（ＭＰＥＧ  Ａｕｄｉｏ  Ｌａｙｅｒ−３）方式などを採用することができる。
チューナ部２７は、例えば、ＡＭ・ＦＭラジオチューナとされ、ＣＰＵ１１の制御に基づいてアンテナ２６で受信された放送信号を復調する。もちろんテレビチューナや衛星放送チューナ、デジタル放送チューナなどのチューナでもよい。復調された放送音声信号は、オーディオデータ処理部２４において所要の処理が施され、スピーカ部２５から放送音声として出力される。
通信処理部２２は、ＣＰＵ１１の制御に基づいて送信データのエンコード処理、受信データのデコード処理を行う。ネットワークインタフェース２３は、通信処理部２２でエンコードされた送信データを、ネットワーク３０を介して所定の外部ネットワーク対応機器に送信する。また、ネットワークインタフェース２３は、ネットワーク３０を介して外部ネットワーク対応機器から送信されてきた信号を通信処理部２２に受け渡す。通信処理部２２は受信した情報をＣＰＵ１１に転送する。ネットワーク３０を介して受信する情報には、例えば、ＦＭ等で放送中の番組の関連情報や、ＣＤ等のタイトルに含まれる楽曲の情報がある。
赤外線通信部２８は、リモートコントローラ４０との間で、赤外線等の無線の通信手段で通信を行う。そして、赤外線通信部２８は、リモートコントローラ４０から送られた信号に所定の処理を施し、ＣＰＵ１１に対して操作コマンドとして伝送する。ＣＰＵ１１は入力された操作コマンドに応答した機器としての動作が得られるように、所要の演算や制御を行う。
なお、端末装置１０の構成は、この図４の構成に限られるものではなく、更に多様に考えられる。例えば、ＵＳＢ（Ｕｎｉｖｅｒｓａｌ  Ｓｅｒｉａｌ  Ｂｕｓ）、ＩＥＥＥ１３９４、Ｂｌｕｅｔｏｏｔｈなどの通信方式による周辺機器とのインタフェースが設けられるようにしてもよい。そして、上記ネットワークインタフェース２３によりネットワーク３０を介してダウンロードしたオーディオのコンテンツや、上記ＵＳＢ、ＩＥＥＥ１３９４などのインタフェースを経由して転送されてきたオーディオのコンテンツについても、ＨＤＤ２１に対して記憶させることができる。またマイクロホンや外部のヘッドホンの接続に用いられる端子や、ＤＶＤ再生時に対応するビデオ出力端子、ライン接続端子、光デジタル接続端子等が設けられてもよい。また、ＰＣＭＣＩＡスロット、メモリカードスロットなどが形成され、外部の情報処理装置やオーディオ機器とデータのやりとりが可能とされてもよい。
次に、本実施の形態のシステムにおけるプログラムモジュールの構成について説明する。なお、プログラムモジュールは端末装置１０に実行させる処理を記述した情報であり、プログラムモジュールに基づいて端末装置１０が所定の機能を実現することができる。以下の説明では、プログラムモジュールを実行することで実現される機能を、そのプログラムモジュールの名称で呼ぶこととする。
図５は、端末装置のプログラムモジュール構成を示す図である。図５に示すように端末装置１０のプログラムモジュールはＯＳ上で動作するように構成されている。端末装置１０は、各プログラムモジュールの機能によって、ＣＤタイトル情報提供サーバ３１、放送局サーバ３２、音楽配信サーバ３３、ＣＤの物販を行うＣＤショップサーバ３４、総合サービスサーバ３５、インターネットラジオサーバ３６、その他の各種サーバと通信を行うことができる。
ＨＴＴＰ（Ｈｙｐｅｒ  Ｔｅｘｔ  Ｔｒａｎｓｆｅｒ  Ｐｒｏｔｏｃｏｌ）メッセージプログラム１１１は、ＣＤタイトル情報提供サーバ３１、放送局サーバ３２、ＣＤショップサーバ３４、および総合サービスサーバ３５等の各種サーバとの間のやりとりをＨＴＴＰ通信で行うものである。コミュニケータプログラム１１２は、総合サービスサーバ３５等と各種通信を行う通信モジュールである。
コミュニケータプログラム１１２の上位（ユーザインタフェースに近い機能）には、コンテンツのコーデックを解釈して再生するコンテンツ再生モジュール１１３、著作権保護に関する情報を取り扱う著作権保護情報管理モジュール１１４が位置する。コンテンツ再生モジュール１１３の上位には、インターネットラジオの選局及び再生を行うインターネットラジオ選局再生モジュール１１８が設けられている。著作権保護情報管理モジュール１１４の上位には、楽曲購入及び試聴曲の再生を司る楽曲購入再生モジュール１１９が設けられている。
それらインターネットラジオ選局再生モジュール１１８、楽曲購入再生モジュール１１９の上位にはＸＭＬ（ｅＸｔｅｎｓｉｂｌｅ  Ｍａｒｋｕｐ  Ｌａｎｇｕａｇｅ）ブラウザ１５１が設けられている。ＸＭＬブラウザ１５１は、各種サーバから送られるＸＭＬファイルの内容を解釈し、表示装置１７に対して画面表示を行う。また、端末装置１０が総合サービス利用モードのときにユーザが端末装置１０に対して行った入力内容はＸＭＬブラウザ１５１で解釈される。そして、ＸＭＬブラウザ１５１から他のモジュールへ、入力内容に応じた処理要求等が渡される。例えば、ＸＭＬブラウザ１５１を介してユーザに選択された楽曲は楽曲購入再生モジュール１１９で購入され、ハードディスクコンテンツコントローラ１１７を介してＨＤＤ２１に書き込まれる。
コミュニケータプログラム１１２には、ライブラリ１３０の認証ライブラリ１３１が接続されている。認証ライブラリ１３１は、総合サービスサーバ３５やその他の各種サーバの認証処理を行う。
さらにコミュニケータプログラム１１２の上位には、データベースアクセスモジュール１１５、コンテンツデータアクセスモジュール１１６及びハードディスクコンテンツコントローラ１１７が設けられている。データベースアクセスモジュール１１５は、ＨＤＤ２１に構築された各種データベースにアクセスする。コンテンツデータアクセスモジュール１１６はＨＤＤ２１に格納されたコンテンツにアクセスする。ハードディスクコンテンツコントローラ１１７はＨＤＤ２１に格納されたコンテンツを管理する。
ハードディスクコンテンツコントローラ１１７の上位には、関連情報表示モジュール１２０、チューナ選局再生／録音モジュール１２１、および楽曲購入再生モジュール１１９が設けられている。関連情報表示モジュール１２０は、ラジオ局が放送した楽曲のタイトル及びアーティスト名を表示装置１７に表示する。チューナ選局再生／録音モジュール１２１は、ラジオ局を選局したり、当該ラジオ局から受信した楽曲のコンテンツをＨＤＤ２１に録音したりする。
例えば、オーディオユーザインタフェース（ＡｕｄｉｏＵＩ）１５２を介して選局されたラジオ局から受信した楽曲は、コンテンツデータアクセスモジュール１１６を介してＨＤＤ２１へ書き込まれる。
関連情報表示モジュール１２０は、チューナ選局再生／録音モジュール１２１によって現在ラジオ局が放送している楽曲のタイトルやアーティスト名を関連情報としてＣＤタイトル情報提供サーバ３１、放送局サーバ３２等からＨＴＴＰメッセージプログラム１１１経由で受信し、これをオーディオユーザインタフェース１５２を介して表示装置１７に表示する。
なお、オーディオユーザインタフェース１５２を介して表示装置１７に表示した関連情報は、ライブラリ１３０のクリップライブラリ１３２に一時的に記憶させることができる。また、関連情報は、ユーザからの指示に従って最終的にはデータベースアクセスモジュール１１５を介してＨＤＤ２１へ記憶させることもできる。
さらに端末装置１０のプログラムモジュールとしては、ＣＤを再生するためのＣＤ再生モジュール１４１と、ＨＤＤ２１を再生するためのＨＤＤ再生モジュール１４２とが含まれており、再生結果をオーディオデータ処理部２４及びスピーカ部２５を介して出力する。
このような構成の端末装置１０において、サーバから関連情報を取得し、その関連情報をクリップすることができる。なお、クリップと同時に、楽曲の検索や購入処理を行うこともできる。
次に総合サービスサーバ３５の内部構成を説明する。
図６は、総合サービスサーバのハードウェアブロック図である。図６に示す総合サービスサーバ３５は、ＣＰＵ３５ａによって装置全体が制御されている。ＣＰＵ３５ａには、バス３５ｇを介してＲＡＭ３５ｂ、ＨＤＤ３５ｃ、グラフィック処理装置３５ｄ、入力インタフェース３５ｅ、および通信インタフェース３５ｆが接続されている。
ＲＡＭ３５ｂには、ＣＰＵ３５ａに実行させるＯＳ（Ｏｐｅｒａｔｉｎｇ  Ｓｙｓｔｅｍ）のプログラムや端末装置１０に各種情報を提供するためのアプリケーションプログラムの少なくとも一部が一時的に格納される。また、ＲＡＭ３５ｂには、ＣＰＵ３５ａによる処理に必要な各種データが保存される。ＨＤＤ３５ｃには、ＯＳや情報を提供するアプリケーションプログラムなどが格納される。
グラフィック処理装置３５ｄには、モニタ３５ｈが接続されている。グラフィック処理装置３５ｄは、ＣＰＵ３５ａからの命令に従って、画像をモニタ３５ｈの表示画面に表示させる。入力インタフェース３５ｅには、キーボード３５ｉと、マウス３５ｊとが接続されている。入力インタフェース３５ｅは、キーボード３５ｉやマウス３５ｊから送られてくる信号を、バス３５ｇを介してＣＰＵ３５ａに送信する。
通信インタフェース３５ｆは、ネットワーク３０に接続されている。通信インタフェース３５ｆは、ネットワーク３０を介して端末装置１０、各種サーバと通信を行う。
以上のようなハードウェア構成によって、本実施の形態の処理機能を実現することができる。なお、図６には、総合サービスサーバ３５のハードウェア構成を代表的に説明したが、他のサーバも同様のハードウェア構成で実現することができる。
次に、総合サービスサーバ３５へのユーザ登録について説明する。ユーザは、各種サーバのサービスを受けるには、総合サービスサーバ３５に対しユーザ登録をしなければならない。ユーザは、端末装置１０よりユーザ登録に必要な情報を入力して総合サービスサーバ３５に送信し、ユーザ識別情報としてのユーザＩＤ、パスワードを取得する。このとき、ユーザは、端末装置１０に端末ＩＤを入力しなければならい。端末ＩＤは、ユーザが複数の端末装置を所有している場合に、各端末装置を識別する識別子で、ユーザによって任意に入力される。端末ＩＤは、ＣＰＵ１１によって総合サービスサーバ３５に送信され登録されると共にＲＯＭ１３またはＨＤＤ２１に記憶される。
ユーザ登録の処理の流れを、シーケンスチャートを用いて説明する。図７は、ユーザ登録の処理の流れを示したシーケンスチャートである。
ステップＳ１において、端末装置１０のＣＰＵ１１は、ユーザの操作によって入力されたユーザＩＤおよびパスワードを登録するために、当該ユーザＩＤおよびパスワードを登録情報の一部として総合サービスサーバ３５に送信する。なお、端末装置１０と総合サービスサーバ３５との通信には、全てＳＳＬ（Ｓｅｃｕｒｅ  Ｓｏｃｋｅｔ  Ｌａｙｅｒ）を使用しており、これによって第３者への情報の漏洩を防止するようになされている。
ステップＳ１１において、総合サービスサーバ３５のＣＰＵ３５ａは、登録情報の一部としてのユーザＩＤ及びパスワードを受信する。
ステップＳ１２において、ＣＰＵ３５ａは、受信したユーザＩＤ及びパスワードを、これら情報が管理されたＨＤＤ３５ｃの管理テーブルと比較し、重複するユーザＩＤが存在しないことを確認して当該ユーザＩＤを登録し、その登録が完了したことをユーザ登録完了情報として端末装置１０に送信する。なお、ユーザＩＤの重複があった場合、ＣＰＵ３５ａは、他のユーザＩＤの入力を促すメッセージを端末装置１０に送信し、ユーザに入力させた他のユーザＩＤおよびパスワードを端末装置１０から送信させる。
ステップＳ２において、端末装置１０のＣＰＵ１１は、受信したユーザ登録完了情報に応じてユーザＩＤの登録が完了したことを表示装置１７に表示する。
ステップＳ３において、ＣＰＵ１１は、ユーザによる所定の登録操作に基づいて端末ＩＤおよび公開設定を端末装置１０のＨＤＤ２１に記憶する。なお、公開設定とは、他のユーザに対して当該端末装置１０の存在を公開するか否かの設定をすることをいう。
ステップＳ４において、ＣＰＵ１１は、端末ＩＤおよび公開設定を登録情報の残りとして総合サービスサーバ３５に送信する。
ステップＳ１３において、総合サービスサーバ３５のＣＰＵ３５ａは、端末装置１０から送信された登録情報の残りとしての端末ＩＤおよび公開設定を受信する。
ステップＳ１４において、ＣＰＵ３５ａは、ユーザＩＤと関連付けて端末ＩＤおよび公開設定を管理テーブルに登録する。
ステップＳ１５において、ＣＰＵ３５ａは、端末ＩＤおよび公開設定の登録が完了したことを表す登録完了情報を端末装置１０に送信し、総合サービスサーバ３５側のユーザ登録における処理を終了する。
ステップＳ５において、端末装置１０のＣＰＵ１１は、総合サービスサーバ３５から登録完了情報を受信する。
ステップＳ６において、ＣＰＵ１１は、ユーザ登録が完了したことを表示装置１７に表示してユーザに通知し、処理を終了する。
ところで、ＣＰＵ１１は、ユーザから受け付けたユーザＩＤ、パスワードをＲＡＭ２０に記憶する。また、ＣＰＵ１１は、受け付けた端末ＩＤをＲＯＭ１３またはＨＤＤ２１に記憶する。よって、サーバに再度アクセスする必要が生じた場合、例えば、電源が切られたなど、消去されない限りＲＡＭ２０に記憶されたユーザＩＤ、パスワードが再利用され、入力する手間が省かれる。端末ＩＤは、ＲＯＭ１３またはＨＤＤ２１に記憶されているので消去されない。
なお、ユーザ（端末装置１０）は、総合サービスサーバ３５によってユーザ認証されるとチケットが発行される。これによって、端末装置１０は、実際にサービス提供をする各種サーバにアクセスすることができる。各種サーバは、例えば、チケットに含まれる認証完了時刻などを参照することにより、端末装置１０のユーザが正規ユーザとして最近（例えば、過去１分以内）認証されたか否かを判断し、認証されていると判断した場合は、端末装置１０からの要求に応じたサービスを行う。
次に、ユーザの登録形態について説明する。ユーザの登録形態には、シングルユーザとマルチユーザの形態がある。まずシングルユーザについて説明する。
図８は、シングルユーザの登録形態を説明する図である。図において端末装置５０ａ〜５０ｃは、図３で示した端末装置１０の外観と同様の外観を有し、図４で示した端末装置１０のハードウェアブロックと同様のハードウェアブロックを有する。端末装置５０ａ，５０ｂは、ユーザＡが所有しているとする。端末装置５０ｃは、他のユーザが所有しているとする。ユーザは、総合サービスサーバ３５にユーザ登録すると、ＣＤタイトル情報提供サーバ３１、放送局サーバ３２、音楽配信サーバ３３が提供するサービスを受けることができる。
ユーザＡは、総合サービスサーバ３５のサービスを受けている（ユーザ登録をしている）とする。ユーザは、総合サービスサーバ３５にユーザ登録したユーザＩＤを所有している。端末装置５０ａ，５０ｂには、それぞれユーザが任意に付けた装置識別情報としてのニックネームＮ１、ニックネームＮ２（端末ＩＤ）が付与されている。ニックネームＮ１，Ｎ２は、端末装置５０ａ，５０ｂのＨＤＤに記憶される。同一ユーザが所有する端末装置内では、ニックネーム（端末ＩＤ）はユニークであり、総合サービスサーバ３５のサービスを受けている端末装置内ではユニークでなくてもよい。つまり、同一ユーザでなければ、同じニックネームを持っていてもよい。こうすることにより、ユーザＩＤとニックネームの組み合わせにより、サービス対象を決定することができる。これにより、ユーザＡは、ＣＤタイトル情報提供サーバ３１、放送局サーバ３２、音楽配信サーバ３３が提供するサービスを受けることができる。なお、ニックネームは、一度付けると変更はできない。
次に、マルチユーザについて説明する。
図９は、マルチユーザの登録形態を説明する図である。図において、端末装置５１ａ，５１ｂは、図３で示した端末装置１０の外観と同様の外観を有し、図４で示した端末装置１０のハードウェアブロックと同様のハードウェアブロックを有する。端末装置５１ａは、マルチユーザとなっておりユーザＡ〜Ｃにより使用される。また、端末装置５１ｂは、ユーザＤ，Ｅにより使用される。ユーザＡ〜Ｅは、総合サービスサーバ３５にユーザ登録することによって、ＣＤタイトル情報提供サーバ３１、放送局サーバ３２、音楽配信サーバ３３が提供するサービスを受けることができる。
端末装置５１ａ，５１ｂは、総合サービスサーバ３５のサービスを受けることができるためのニックネームＮ１，Ｎ２の端末ＩＤが記憶されている。ユーザＡ，Ｂは、総合サービスサーバ３５にユーザ登録し、それぞれユーザＩＤを有しているとする。ユーザＣは、総合サービスサーバ３５にユーザ登録をしておらず、ユーザＩＤを有していないとする。また、ユーザＤは、総合サービスサーバ３５にユーザ登録し、ユーザＩＤを有しているとする。ユーザＥは、ユーザ登録をしておらず、ユーザＩＤを有していないとする。これにより、端末装置５１ａを使用できるユーザＡ〜Ｃのうち、ユーザＡ，ＢのみがＣＤタイトル情報提供サーバ３１、放送局サーバ３２、音楽配信サーバ３３が提供するサービスを受けることができる。また、端末装置５１ｂを使用できるユーザＤ，Ｅのうち、ユーザＤのみがＣＤタイトル情報提供サーバ３１、放送局サーバ３２、音楽配信サーバ３３が提供するサービスを受けることができる。このように、ユーザＩＤとニックネームの組み合わせにより、サービス対象を決定することができる。
次に、サービス開始処理についてフローチャートを用いて説明する。
図１０は、サービス開始処理についてのフローチャートである。ここでは、ユーザは、１人で複数の端末装置を所有しているとする。
ステップＳ２１において、総合サービスサーバ３５のＣＰＵ３５ａは、端末装置１０からユーザのユーザＩＤを受信する。ユーザＩＤを受信しなかった場合、すなわち、ユーザがまだユーザＩＤを取得していない場合、ステップＳ２２に進む。ユーザＩＤを受信した場合、すなわち、ユーザＩＤを取得している場合、ステップＳ２４へ進む。
ステップＳ２２において、ＣＰＵ３５ａは、端末装置１０からユーザ登録に必要な登録情報を受け付ける。
ステップＳ２３において、ＣＰＵ３５ａは、ユーザＩＤを発行する。なお、ステップＳ２２，Ｓ２３において、図７で説明したように、ユーザＩＤをユーザに入力させ、他のユーザのユーザＩＤと重複しない場合に、そのユーザＩＤを発行する。
ステップＳ２４において、ＣＰＵ３５ａは、端末装置１０から端末ＩＤ（ニックネーム）を受信する。
ステップＳ２５において、ＣＰＵ３５ａは、受信したニックネームが、ユーザが所有している端末装置内でユニークであるか歪かを判断する。ユーザが付けたニックネームが、ユニークでないと判断した場合、ステップＳ２４へ進む。ユニークであると判断した場合、ステップＳ２６へ進む。
ステップＳ２６において、ＣＰＵ３５ａは、サービスを識別するサービス識別情報としてのサービスＩＤ、ユーザＩＤ、およびニックネームを紐付けて（関連付けて）ＨＤＤ３５ｃに記憶する。なお、ユーザが受けるサービスの種類は、ユーザごとに異なる。例えば、あるユーザは、ナウオンエアーのみサービス提供を受け、他のユーザは、ナウオンエアーと音楽配信のサービス提供を受ける。サービスＩＤは、これらユーザが受けようとするサービスを識別する。
サービスＩＤは、例えば、ユーザがユーザ登録するときに指定した、受けたいサービスによって決まる。サービスＩＤは、端末装置１０から総合サービスサーバ３５に送信され、ＨＤＤ２１，３５ｃに記憶される。
次に、ユーザ認証について説明する。ユーザは、総合サービスサーバ３５からサービスの提供を受けるには、端末装置１０より、ユーザＩＤ、パスワード、端末ＩＤ、およびサービスＩＤを総合サービスサーバ３５に送信する。
総合サービスサーバ３５のＣＰＵ３５ａは、ユーザＩＤ、パスワード、および端末ＩＤよりユーザ認証を行う。ＣＰＵ３５ａはユーザ認証ができれば、サービスＩＤに基づく各種サーバにアクセスできるためのチケットを端末装置１０に発行する。端末装置１０はチケットを受信し、受信したチケットに基づいてサービスを提供するサーバにアクセスし、サービスの提供を受ける。
図１１は、ユーザ認証の処理の流れを示したフローチャートである。
ステップＳ３１において、端末装置１０のＣＰＵ１１は、ユーザからユーザＩＤとパスワードを受け付ける。また、ＣＰＵ１１は、ＨＤＤ２１から端末ＩＤを取得する。
ステップＳ３２において、端末装置１０のＣＰＵ１１は、取得した端末ＩＤと、ユーザが受けるサービスのサービスＩＤ、ユーザから受け付けたユーザＩＤとパスワードとを総合サービスサーバ３５に送信する。
総合サービスサーバ３５では、受信した端末ＩＤ、ユーザＩＤおよびパスワードよりユーザ認証を行う。ＣＰＵ１１はユーザ認証ができたなら、端末装置１０にサービスＩＤに基づいたサービスを提供するサーバにアクセスできるチケットを発行する。
ステップＳ３３において、端末装置１０のＣＰＵ１１は、チケットを受信する。ＣＰＵ１１は、受信したチケットに基づいて、サービスの提供を受けようとするサーバにアクセスする。なお、ユーザ認証処理については、後述する第２の実施の形態において、さらに詳細に説明する。
次に、サービス解除処理について説明する。ユーザは、サービスの解除をしたい場合、端末装置１０より総合サービスサーバ３５に装置識別情報の削除を要求する旨の削除要求情報を送信する。このとき、端末装置１０は、ユーザＩＤ、パスワード、および端末ＩＤを共に送信する。
総合サービスサーバ３５のＣＰＵ３５ａは、端末装置１０からユーザＩＤ、パスワード、および端末装置１０を識別する端末ＩＤと共に、端末ＩＤを削除する削除要求情報を受信すると、まず、ＨＤＤ３５ｃに記憶しているサービスＩＤを削除する。その後、端末ＩＤを削除する。このとき、ユーザＩＤ、パスワードも削除する。
図１２は、第１のサービス解除の処理についてのシーケンスチャートである。ここで各種サーバとは、ＣＤタイトル情報提供サーバ３１、放送局サーバ３２、音楽配信サーバ３３及びＣＤショップサーバ３４等を示している。
ステップＳ４１において、端末装置１０のＣＰＵ１１は、ユーザから受け付けたサービスの申し込みを総合サービスサーバ３５に送信する。
ステップＳ４２において、総合サービスサーバ３５のＣＰＵ３５ａは、サービスを申し込んだユーザのユーザＩＤ、パスワード、および端末ＩＤと、申し込んだサービスを識別するサービスＩＤを紐付けてＨＤＤ３５ｃに記憶する。
ステップＳ４３において、端末装置１０のＣＰＵ１１は、サービスのリクエストをサービス要求したサーバに行う。なお、ＣＰＵ１１は、サービス要求をしたサーバにアクセスするためのチケットを総合サービスサーバ３５から配信され、チケットに基づいてサービス要求をしたサーバにアクセスする。
ステップＳ４４において、サービス要求されたサーバは、サービスの配信を行う。
このようにして、端末装置１０はサービスの提供を受ける。そして、サービスの提供を解除する場合は次のステップに従う。
ステップＳ４５において、端末装置１０のＣＰＵ１１は、ユーザＩＤ、パスワード、端末ＩＤとともに、サービスの解除を要求する情報を総合サービスサーバ３５に送信する。
ステップＳ４６において、ＣＰＵ１１は、サーバからのサービスにより提供された、ＨＤＤ２１に記憶されているコンテンツの削除を行う。
ステップＳ４７において、ＣＰＵ１１は、ＨＤＤ２１に記憶されている端末ＩＤの削除を行う。
ステップＳ４８において、総合サービスサーバ３５のＣＰＵ３５ａは、サービスＩＤをＨＤＤ３５ｃから削除する。
ステップＳ４９において、ＣＰＵ３５ａは、端末ＩＤをＨＤＤ３５ｃから削除する。このとき、ユーザＩＤ、パスワードも削除する。
ステップＳ５０において、ＣＰＵ３５ａは、端末ＩＤの削除が終了した旨の情報を端末装置１０に送信する。なお、ステップＳ４６，Ｓ４７の端末装置１０の処理は、総合サービスサーバ３５から端末ＩＤの削除が終了した旨の情報を受信してから実行するようにしてもよい。
図１３は、第２のサービス解除の処理についてのシーケンスチャートである。ここでＣＤショップサーバ３４は、予めメールアドレスを登録したユーザに対して定期的にメールマガジンを配信するサービスを提供している。
また総合サービスサーバ３５は、ＨＤＤ３５ｃに予めユーザＩＤ、パスワード、メールアドレス、及び端末ＩＤを記憶している。
ステップＳ５１において、端末装置１０のＣＰＵ１１は、ユーザの操作に基づき、各種サーバから定期的にメールマガジンの送付を受けるメールマガジンサービスの申し込みを総合サービスサーバ３５に送信する。
ステップＳ５２において、総合サービスサーバ３５のＣＰＵ３５ａは、サービスを申し込んだユーザのユーザＩＤ、パスワード、および端末ＩＤと、申し込んだメールマガジンサービスを識別するサービスＩＤを紐付けてＨＤＤ３５ｃに記憶する。
ステップＳ５３において、総合サービスサーバ３５のＣＰＵ３５ａは、メールマガジンサービスを申し込んだユーザのメールアドレスをＣＤショップサーバ３４に通知する。このときＣＤショップサーバ３４は、通知されたメールアドレスを、内部の記憶手段に記憶しているメールマガジン配信先リストに追加する。
ステップＳ５４において、ＣＤショップサーバ３４は、端末装置１０にメールマガジンを配信する。なおＣＤショップサーバ３４は、メールマガジン配信先リストに登録されているメールアドレスに対して、定期的にメールマガジンを配信し続ける。
このようにして、端末装置１０はサービスの提供を受ける。そして、サービスの提供を解除する場合は次のステップに従う。
ステップＳ５５において、端末装置１０のＣＰＵ１１は、ユーザＩＤ、パスワード、端末ＩＤとともに、メールマガジンサービスの解除を要求する情報を総合サービスサーバ３５に送信する。
ステップＳ５６において、ＣＰＵ１１は、サーバからのサービスにより提供された、ＨＤＤ２１に記憶されているコンテンツ（メールマガジンを含む）の削除を行う。
ステップＳ５７において、ＣＰＵ１１は、ＨＤＤ２１に記憶されている端末ＩＤの削除を行う。
ステップＳ５８において、総合サービスサーバ３５のＣＰＵ３５ａは、サービスＩＤをＨＤＤ３５ｃから削除すると共に、ＣＤショップサーバ３４に対して、端末装置１０のユーザのメールアドレスをメールマガジン配信先リストから削除する要求を送信する。
ステップＳ５９において、ＣＰＵ３５ａは、端末ＩＤをＨＤＤ３５ｃから削除する。このとき、ユーザＩＤ、パスワードも削除する。
ステップＳ６０において、ＣＰＵ３５ａは、端末ＩＤの削除が終了した旨の情報を端末装置１０に送信する。なお、ステップＳ５６，Ｓ５７の端末装置１０の処理は、総合サービスサーバ３５から端末ＩＤの削除が終了した旨の情報を受信してから実行するようにしてもよい。
このように総合サービスサーバ３５は、サービスＩＤを削除してから端末ＩＤを削除する。このため総合サービスサーバ３５は、仮に端末ＩＤを削除した時点で障害が発生したとしても、既にサービスＩＤの削除を完了している。この結果、総合サービスサーバ３５は、サービスＩＤのみを残すことがないため、端末装置１０のユーザのメールアドレスにメールマガジンが配信され続けるといった問題を未然に防ぐことができる。
以上の構成によれば、総合サービスサーバ３５にアクセスするのに必要な情報である端末ＩＤを削除する前に、サービスＩＤを削除するので、総合サービスサーバ３５へアクセスすることができなくなってサービスＩＤを削除できなくなる危険性がなくなり、確実にサービスＩＤを削除することが可能となる。
また、総合サービスサーバ３５のサービスを解除することにより、全てのサービス（各種サーバが提供するサービス）を解除できるので、端末装置１０から各種サーバに対する解約の手間が省かれる。
また、端末装置１０のコンテンツを削除することにより、著作権上の心配も不要になる。
（３）第２の実施の形態
第２の実施の形態においては、上述した第１の実施の形態と同様のユーザ登録処理（図７）、サービス開始処理（図１０及び図１１）、及びサービス解除処理（図１２及び図１３）を行うようになされているため、その説明は省略する。一方、この第２の実施においては、ユーザ認証処理が上述した第１の実施の形態とは異なっているため、このユーザ認証について詳細に説明する。
（３−１）システム構成
図１４において、１０００は全体として第２の実施の形態における音楽関連サービス提供システムを示し、この音楽関連サービス提供システム１０００の運営業者と契約しているユーザのクライアント端末１００２と、外部装置としての当該クライアント端末１００２を管理する情報処理装置としてのポータルサーバ１００３と、当該クライアント端末１００２に対して音楽に関する各種サービスを提供する複数のサーバ１００４乃至１００８とを有している。
この第２の実施の形態の場合、音楽データ配信サーバ１００４は、ＡＴＲＡＣ３（Ａｄａｐｔｉｖｅ  ＴＲａｎｓｆｏｒｍ  Ａｃｏｕｓｔｉｃ  Ｃｏｄｉｎｇ  ３）、ＡＡＣ（Ａｄｖａｎｃｅｄ  Ａｕｄｉｏ  Ｃｏｄｉｎｇ）、ＷＭＡ（Ｗｉｎｄｏｗｓ  Ｍｅｄｉａ  Ａｕｄｉｏ）、ＲｅａｌＡＵＤＩＯ  Ｇ２  Ｍｕｓｉｃ  Ｃｏｄｅｃ、ＭＰ３（ＭＰＥＧ  Ａｕｄｉｏ  Ｌａｙｅｒ−３）形式等でなる音楽データをクライアント端末１００２に配信する音楽データ配信サービスを提供する。
また物販サーバ１００５は、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等をクライアント端末１００２を介してユーザに販売する物販サービスを提供する。
さらにラジオ放送情報配信サーバ１００６は、ラジオ局を介して放送されているラジオ放送のラジオ番組や音楽等についてのラジオ放送情報をクライアント端末１００２に配信するラジオ放送情報配信サービスを提供する。
さらにインターネットラジオサーバ１００７は、インターネットに相当するネットワークＮＴ１０００を介してラジオ放送データをストリーミング配信の形態でクライアント端末１００２に向けて放送するインターネットラジオ放送サービスを提供する。
これに加えて課金サーバ１００８は、ポータルサーバ１００３等からの要求に応じてユーザに対し様々な料金を課すための課金処理を実行するようになされている。
なお、この第２の実施の形態におけるクライアント端末１００２は第１の実施の形態における端末装置１０に対応し、ポータルサーバ１００３は総合サービスサーバ３５に対応し、音楽データ配信サーバ１００４は音楽配信サーバ３３に対応し、物販サーバ１００５はＣＤショップサーバ３４に対応し、ラジオ放送情報配信サーバ１００６は放送局サーバ３２に対応し、ネットワークＮＴ１０００はネットワーク３０に対応している。
（３−２）クライアント端末１００２の構成
（３−２−１）クライアント端末１００２の機能回路ブロック構成
次にクライアント端末１００２の機能回路ブロックによるハードウェア構成を説明する。図１５に示すようにクライアント端末１００２は、その筐体表面やリモートコントローラ（図示せず）に設けられた各種操作ボタンでなる操作入力部１０２０がユーザによって操作されると、当該操作入力部１０２０でこれを認識し、当該操作に応じた操作入力信号を入力処理部１０２１に送出する。
入力処理部１０２１は、操作入力部１０２０から与えられる操作入力信号を特定の操作コマンドに変換しバス１０２２を介して制御部１０２３に送出する。
制御部１０２３は、バス１０２２を介して接続された各回路から与えられる操作コマンドや制御信号に基づいてこれら各回路の動作を制御する。
表示制御部１０２４は、バス１０２２を介して供給される映像データに対してディジタルアナログ変換処理を施し、その結果得られるアナログ映像信号を表示部１０２５に送出する。
表示部１０２５は、例えば液晶ディスプレイ等の表示デバイスであって、筐体表面に直接取り付けられている場合や外付けされている場合がある。
そして表示部１０２５は、制御部１０２３による処理結果や各種映像データが表示制御部１０２４を介してアナログ映像信号として供給されると、当該アナログ映像信号に基づく映像を表示する。
音声制御部１０２６は、バス１０２２を介して供給される音声データに対してディジタルアナログ変換処理を施し、その結果得られるアナログ音声信号をスピーカ１０２７に送出する。スピーカ１０２７は、音声制御部１０２６から供給されるアナログ音声信号に基づく音声を出力する。
外部記録媒体記録再生部１０２８は、ＣＤや、フラッシュメモリが外装ケースに内包されたメモリスティック（登録商標）等の外部記録媒体に記録されているコンテンツデータを読み出して再生し、又は当該外部記録媒体に対し記録対象のコンテンツデータを記録する記録再生部である。
外部記録媒体記録再生部１０２８は、外部記録媒体からコンテンツデータとして映像データを読み出したとき、当該読み出した映像データをバス１０２２を介して表示制御部１０２４に供給する。
これにより表示制御部１０２４は、外部記録媒体記録再生部１０２８により外部記録媒体からコンテンツデータとして読み出された映像データをアナログ映像信号に変換して表示部１０２５に供給する。
また外部記録媒体記録再生部１０２８は、外部記録媒体からコンテンツデータとして音声データを読み出したとき、当該読み出した音声データをバス１０２２を介して音声制御部１０２６に供給する。
これにより音声制御部１０２６は、外部記録媒体記録再生部１０２８により外部記録媒体からコンテンツデータとして読み出された音声データをアナログ音声信号に変換してスピーカ１０２７に供給する。
さらに制御部１０２３は、外部記録媒体記録再生部１０２８により外部記録媒体から読み出されたコンテンツデータをバス１０２２を介してクライアント端末１００２内部の記憶媒体１０２９に送出し、その記憶媒体１０２９に対して当該コンテンツデータを記憶する（以下、このようにコンテンツデータを記憶媒体１０２９に記憶することをリッピングと呼ぶ）ことができる。
そして制御部１０２３は、記憶媒体１０２９からコンテンツデータとしてイメージデータ又はビデオデータ等の映像データを読み出したときには、当該読み出した映像データをバス１０２２を介して表示制御部１０２４に供給する。
また制御部１０２３は、記憶媒体１０２９からコンテンツデータとしてオーディオデータ等の音声データを読み出したときには、当該読み出した音声データをバス１０２２を介して音声制御部１０２６に供給する。
これに加えて制御部１０２３は、記憶媒体１０２９から音楽データを読み出して外部記録媒体記録再生部１０２８に転送することにより当該外部記録媒体記録再生部１０２８により外部記録媒体に対しその音楽データを記録させることもできる。
放送信号受信部１０３０は、各ラジオ局から送信されるラジオ放送波を受信し、チューナ部１０３１に供給する。
チューナ部１０３１は、制御部１０２３の制御のもと、放送信号受信部１０３０を介して受信したラジオ放送波の中から例えば操作入力部１０２０を介して指定されたラジオ局に対応する放送周波数のラジオ放送信号を抽出して所定の受信処理を施し、この結果得られる音声データをバス１０２２を介して音声制御部１０２６に送出する。
音声制御部１０２６は、チューナ部１０３１から与えられた音声データをアナログ音声信号に変換してスピーカ１０２７に送出することにより、当該スピーカ１０２７からラジオ局で放送されているラジオ番組の番組音声を出力させ、かくしてユーザに対しラジオ番組の番組音声を聴取させることができる。
また制御部１０２３は、チューナ部１０３１で得られた音声データを記憶媒体１０２９に送出して記憶することにより、ラジオ番組の番組音声を録音することもできる。
さらに制御部１０２３は、通信制御部１０３２及びネットワークインタフェース１０３３を順次介してネットワークＮＴ１０００に接続し、当該ネットワークＮＴ１０００上のポータルサーバ１００３やその他サーバ１００４乃至１００７にアクセスすることができ、これによりポータルサーバ１００３やその他サーバ１００４乃至１００７との間で各種情報や各種データを送受信する。
エンコーダ／デコーダ部１０３４は、ネットワークＮＴ１０００からネットワークインタフェース１０３３及び通信制御部１０３２を順次介して受信した圧縮符号化されているコンテンツデータ、あるいは記憶媒体１０２９や外部記録媒体から読み出された圧縮符号化されているコンテンツデータを復号し表示制御部１０２４や音声制御部１０２６に送出する。
またエンコーダ／デコーダ部１０３４は、外部記録媒体から読み出された圧縮符号化されてはいないコンテンツデータや、チューナ部１０３１から与えられる音声データ等を圧縮符号化し、当該圧縮符号化したコンテンツデータを記憶媒体１０２９に送出する。
これによりエンコーダ／デコーダ部１０３４で圧縮符号化されたコンテンツデータは、制御部１０２３の制御のもと記憶媒体１０２９に記憶される。
著作権管理部１０３５は、ネットワークＮＴ１０００からネットワークインタフェース１０３３及び通信制御部１０３２を順次介してダウンロードされるコンテンツデータに対応する著作権管理情報や、外部記録媒体記録再生部１０２８により外部記録媒体から読み出されたコンテンツデータに対応する著作権管理情報を生成する。
著作権管理部１０３５で生成された著作権管理情報は、制御部１０２３の制御のもとにコンテンツデータと対応付けられて記憶媒体１０２９に登録される。
また著作権管理部１０３５は、記憶媒体１０２９と特定の外部記録媒体との間で著作権管理情報を対応付けたコンテンツデータをチェックアウトするときや、当該特定の外部記録媒体と記憶媒体１０２９との間で当該著作権管理情報を対応付けたコンテンツデータをチェックインするときに、当該コンテンツデータに対応する著作権管理情報の内容を適切に更新することにより、そのコンテンツデータに対する著作権を保護する。
ページ情報生成部１０３６は、ネットワークＮＴ１０００からネットワークインタフェース１０３３及び通信制御部１０３２を順次介して受信したＸＭＬ（ｅＸｔｅｎｓｉｂｌｅ  Ｍａｒｋｕｐ  Ｌａｎｇｕａｇｅ）ファイル、あるいはＨＴＭＬ（Ｈｙｐｅｒ  Ｔｅｘｔ  Ｍａｒｋｕｐ  Ｌａｎｇｕａｇｅ）ファイル等のページ情報を解釈して表示部１０２５に表示するための映像データを生成し、当該生成した映像データを表示制御部１０２４に送出する。
認証処理部１０３７は、ネットワークインタフェース１０３３を介して接続されるネットワークＮＴ１０００上のポータルサーバ１００３やその他サーバ１００４乃至１００７に対し認証情報を通信制御部１０３２及びネットワークインタフェース１０３３を順次介して送信する等の認証処理を実行する。
認証情報記憶部１０３８は、認証処理部１０３７がポータルサーバ１００３やその他サーバ１００４乃至１００７に対しアクセスするときに必要となる認証情報を記憶する。
ラジオ放送表示制御部１０３９は、現在、ユーザによる聴取用に受信中のラジオ放送に関するラジオ放送情報を要求するための要求信号を通信制御部１０３２及びネットワークインタフェース１０３３を順次介して、当該受信中のラジオ放送を放送しているラジオ局に対応するラジオ放送情報配信サーバ１００６に送信する。
その結果、ラジオ放送表示制御部１０３９は、ネットワークＮＴ１０００上のラジオ放送情報配信サーバ１００６から送信されたラジオ放送情報をネットワークインタフェース１０３３及び通信制御部１０３２を順次介して受信すると共に、当該受信したラジオ放送情報を表示制御部１０２４に送出することにより表示部１０２５に対し、現在受信中のラジオ番組の番組名や、当該受信中の楽曲のタイトル及びアーティスト名等からなるラジオ放送情報を表示させる。
ところで、上述の第１の実施の形態において説明した端末装置１０のプログラムモジュール（図５）のうち、ＨＴＴＰメッセージプログラム１１１及びコミュニケータプログラム１１２は、この第２の実施の形態におけるクライアント端末１００２の通信制御部１０３２（図１５）と同様の機能を実現可能なプログラムモジュールである。
またコンテンツ再生モジュール１１３（図５）は、クライアント端末１００２のエンコーダ／デコーダ部１０３４（図１５）と同様の機能を実現可能なプログラムモジュールである。
さらに著作権保護情報管理モジュール１１４（図５）は、クライアント端末１００２の著作権管理部１０３５（図１５）と同様の機能を実現可能なプログラムモジュールである。
さらにインターネットラジオ選局再生モジュール１１８（図５）は、クライアント端末１００２の制御部１０２３及び音声制御部１０２６（図１５）と同様の機能を実現可能なプログラムモジュールである。
さらに楽曲購入再生モジュール１１９（図５）は、クライアント端末１００２の制御部１０２３及び音声制御部１０２６（図１５）と同様の機能を実現可能なプログラムモジュールである。
さらにＸＭＬブラウザ１５１（図５）は、クライアント端末１００２の入力処理部１０２１及びページ情報生成部１０３６（図１５）と同様の機能を実現可能なプログラムモジュールである。
さらにハードディスクコンテンツコントローラ１１７及びデータベースアクセスモジュール１１５並びにコンテンツデータアクセスモジュール１１６（図５）は、クライアント端末１００２の制御部１０２３（図１５）と同様の機能を実現可能なプログラムモジュールである。
さらにライブラリ１３０の認証ライブラリ１３１（図５）は、クライアント端末１００２の認証処理部１０３７及び認証情報記憶部１０３８（図１５）と同様の機能を実現可能なプログラムモジュールである。
さらにライブラリ１３０のクリップライブラリ１３２（図５）は、クライアント端末１００２の制御部１０２３（図１５）と同様の機能を実現可能なプログラムモジュールである。
さらに関連情報表示モジュール１２０（図５）は、クライアント端末１００２のラジオ放送表示制御部１０３９（図１５）と同様の機能を実現可能なプログラムモジュールである。
さらにチューナ選局再生／録音モジュール１２１（図５）は、クライアント端末１００２の制御部１０２３及び音声制御部１０２６並びにチューナ部１０３１（図１５）と同様の機能を実現可能なプログラムモジュールである。
さらにオーディオユーザインタフェース１５２（図５）は、クライアント端末１００２の入力処理部１０２１及び制御部１０２３並びに表示制御部１０２４（図１５）と同様の機能を実現可能なプログラムモジュールである。
さらにＣＤ再生モジュール１４１（図５）は、クライアント端末１００２の音声制御部１０２６及び外部記録媒体記録再生部１０２８（図１５）と同様の機能を実現可能なプログラムモジュールである。
さらにＨＤＤ再生モジュール１４２（図５）は、クライアント端末１００２の制御部１０２３及び音声制御部１０２６（図１５）と同様の機能を実現可能なプログラムモジュールである。
従って、上述した第１の実施の形態におけるハードウェア回路ブロック構成の端末装置１０でも、ＣＰＵ１１が上述の各種プログラムモジュールに従って、この第２の実施の形態における機能回路ブロックのクライアント端末１００２と同様の処理を実行することができる。
（３−２−２）ディレクトリ管理
クライアント端末１００２の制御部１０２３は、記憶媒体１０２９に対して記憶するコンテンツデータを、図１６に示すディレクトリ構成で管理する。まず「ｒｏｏｔ」ディレクトリの下層に対しては、規定範囲内での任意の数の「ｆｏｌｄｅｒ」ディレクトリが作成される。この「ｆｏｌｄｅｒ」ディレクトリは、例えばコンテンツが属するジャンル、又は所有ユーザ等に対応して作成される。
この「ｆｏｌｄｅｒ」ディレクトリの下層には、規定範囲内での任意の数の「ａｌｂｕｍ」ディレクトリが作成され、当該「ａｌｂｕｍ」ディレクトリは例えば１つのアルバムタイトル毎に対応するようになされている。この「ａｌｂｕｍ」ディレクトリの下層においては、その「ａｌｂｕｍ」ディレクトリに属するとされる１以上の「ｔｒａｃｋ」ファイルが格納され、この「ｔｒａｃｋ」ファイルが１つの楽曲すなわちコンテンツとなるものである。
このようなコンテンツデータについてのディレクトリ管理は、記憶媒体１０２９に記憶されているデータベースファイルによって行われる。
（３−３）ポータルサーバ１００３の機能回路ブロック構成
次に、図１７を用いてポータルサーバ１００３の機能回路ブロックによるハードウェア構成を説明する。ポータルサーバ１００３内の制御部１０５０は、バス１０５１を介して接続される各回路の動作を制御する。
通信制御部１０５２は、制御部１０５０の制御のもと、ネットワークインタフェース１０５３を介してクライアント端末１００２やその他サーバ１００４乃至１００８と各種情報を送受信する。
顧客データベース部１０５４には、音楽関連サービス提供システム１０００の運営業者とすでに契約を完了しているユーザのユーザＩＤ（Ｉｄｅｎｔｉｆｉｃａｔｉｏｎ）情報とパスワード情報とが対応付けられて顧客情報として登録されている。
ページ情報記憶部１０５５には、音楽関連サービス提供システム１０００の運営業者が管理するページ情報等が記憶されている。
なおページ情報は、ＸＭＬ等の言語によって記述されており、音楽データ配信サーバ１００４、物販サーバ１００５、ラジオ放送情報配信サーバ１００６及びインターネットラジオサーバ１００７等にアクセスするためのＵＲＬ（Ｕｎｉｆｏｒｍ  Ｒｅｓｏｕｒｃｅ  Ｌｏｃａｔｏｒ）情報を含んでいる。
認証処理部１０５６は、クライアント端末１００２から送信されたユーザＩＤ情報及びパスワード情報をネットワークインタフェース１０５３及び通信制御部１０５２を順次介して受信すると、ユーザ認証処理として、当該受信したユーザＩＤ情報及びパスワード情報が顧客データベース部１０５４に顧客情報として登録されているか否かを確認する。
そして認証処理部１０５６は、ユーザ認証処理を終了すると、当該ユーザ認証処理の結果を示したポータル認証結果情報（後述する認証セッションＩＤ情報）を発行し、当該発行したポータル認証結果情報を認証情報記憶部１０５７に一時記憶する。
このとき制御部１０５０は、認証処理部１０５６によるユーザ認証処理の結果、ユーザが正規ユーザであると認証されると、ページ情報記憶部１０５５に記憶されている契約者用のページ情報をポータル認証結果情報と共に通信制御部１０５２及びネットワークインタフェース１０５３を順次介してクライアント端末１００２に送信する。
なお制御部１０５０は、認証処理部１０５６によるユーザ認証処理の結果、ユーザが正規ユーザであると認証されなかったときには、認証エラー情報を、ページ情報記憶部１０５５に記憶されている認証の失敗を示す認証失敗通知ページ情報と共に通信制御部１０５２及びネットワークインタフェース１０５３を順次介してクライアント端末１００２に送信するように構成しても良い。
また認証処理部１０５６は、音楽データ配信サーバ１００４、物販サーバ１００５及びラジオ放送情報配信サーバ１００６からユーザに対する認証処理が実行された結果、当該ユーザのクライアント端末１００２から取得して送信されるポータル認証結果情報（後述する認証チケット）をネットワークインタフェース１０５３及び通信制御部１０５２を順次介して受信すると、当該受信したポータル認証結果情報と、認証情報記憶部１０５７に一時記憶していた当該ユーザに対応するポータル認証結果情報とを比較する。
これにより認証処理部１０５６は、音楽データ配信サーバ１００４、物販サーバ１００５及びラジオ放送情報配信サーバ１００６から受信したポータル認証結果情報に対する認証処理として、正規のポータル認証結果情報であるか否かを確認する確認処理を実行し、その確認結果を示す確認結果情報を通信制御部１０５２及びネットワークインタフェース１０５３を順次介して当該音楽データ配信サーバ１００４、物販サーバ１００５及びラジオ放送情報配信サーバ１００６に返信する。
周波数情報記憶部１０５８には、地域を特定可能な郵便番号等の地域コードと、その地域コードの示す地域で受信可能なラジオ放送の放送周波数を示す周波数情報、当該ラジオ放送を放送するラジオ局の名称（以下、これをラジオ局名と呼ぶ）及び当該ラジオ局毎のユニークな識別情報であるコールサインとが対応付けられて記憶されている。
ＵＲＬ記憶部１０５９には、ラジオ放送用のラジオ局毎のコールサインと、当該コールサインに対応するラジオ局で提供する現在放送中のラジオ番組に関し当該ラジオ番組の番組名やそのラジオ番組内で現時点に流されている楽曲のタイトル等からなるラジオ放送情報（以下、これを特にナウオンエア情報と呼ぶ）を取得可能なＵＲＬ情報とが対応付けられて記憶されている。
ところで上述した第１の実施の形態における総合サービスサーバ３５（図６）は、基本的にＣＰＵ３５ａがＨＤＤ３５ｃに記憶された各種プログラムに従って各種処理を行っている。
このためかかる総合サービスサーバ３５では、図１７について上述した機能回路ブロックによるハードウェア構成のポータルサーバ１００３の機能に応じて、ＨＤＤ３５ｃに記憶させる各種プログラムを適宜選定することにより、ＣＰＵ３５ａを当該ポータルサーバ１００３の制御部１０５０、通信制御部１０５２及び認証処理部１０５６と同様に機能させることができると共に、ＨＤＤ３５ｃをそのポータルサーバ１００３の顧客データベース部１０５４、ページ情報記憶部１０５５、認証情報記憶部１０５７、周波数情報記憶部１０５８及びＵＲＬ記憶部、１０５９と同様に用いることができる。
（３−４）音楽データ配信サーバ１００４の機能回路ブロック構成
次に、図１８を用いて音楽データ配信サーバ１００４の機能回路ブロックによるハードウェア構成を説明する。音楽データ配信サーバ１００４内の制御部１０７０は、バス１０７１を介して接続される各回路の動作を制御する。
通信制御部１０７２は、制御部１０７０の制御のもと、ネットワークインタフェース１０７３を介してクライアント端末１００２やポータルサーバ１００３等と各種情報や、コンテンツデータ等の各種データを送受信する。
顧客データベース部１０７４には、音楽データ配信サーバ１００４の運営業者とすでに契約を完了しているユーザのユーザＩＤ情報とパスワード情報とが対応付けられて顧客情報として登録されている。ただし認証処理部１０７５が、クライアント端末１００２から送信される、ポータルサーバ１００３によって発行されたポータル認証結果情報に基づいてユーザを認証処理する機能を有する場合には、顧客データベース部１０７４を設けなくてもよい。
ページ情報記憶部１０７６には、音楽データ配信サーバ１００４が管理する、ダウンロード可能な音楽データを紹介する音楽データ配信用のページ情報等が記憶されている。
因みに音楽データ配信用のページ情報は、ＸＭＬ等の言語によって記述されており、クライアント端末１００２を利用するユーザに対してダウンロードを希望する音楽データを選択させることができる。
そして制御部１０７０は、クライアント端末１００２から送信される、音楽データ配信用のページ情報を要求するページ情報取得要求信号をネットワークインタフェース１０７３及び通信制御部１０７２を順次介して受信すると、当該受信したページ情報取得要求信号に応じて、ページ情報記憶部１０７６に記憶された音楽データ配信用のページ情報を通信制御部１０７２及びネットワークインタフェース１０７３を順次介してクライアント端末１００２に送信する。
認証処理部１０７５は、クライアント端末１００２から送信される、当該クライアント端末１００２を利用するユーザのユーザＩＤ情報及びパスワード情報をネットワークインタフェース１０７３及び通信制御部１０７２を順次介して受信すると、ユーザ認証処理として、当該受信したユーザＩＤ情報及びパスワード情報が顧客データベース部１０７４に顧客情報として登録されているか否かを確認する。
また認証処理部１０７５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１０７３及び通信制御部１０７２を順次介して受信し、当該受信したポータル認証結果情報を通信制御部１０７２及びネットワークインタフェース１０７３を順次介してポータルサーバ１００３に送信する。
そして認証処理部１０７５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１０７３及び通信制御部１０７２を順次介して受信し、当該受信した確認結果情報に基づいてユーザが音楽関連サービス提供システム１０００の運営業者とすでに契約を完了している正規ユーザであるか否かを確認する。
このようにして認証処理部１０７５は、ユーザ認証処理が終了すると、そのユーザ認証処理の結果を示したサーバ認証結果情報（後述するサービスセッションＩＤ情報）を発行する。
このとき制御部１０７０は、認証処理部１０７５によるユーザ認証処理の結果、ユーザが正規ユーザであると認証されると、ページ情報記憶部１０７６に契約者用として記憶されている音楽データ配信用のページ情報をサーバ認証結果情報と共に通信制御部１０７２及びネットワークインタフェース１０７３を順次介してクライアント端末１００２に送信する。
これに対して制御部１０７０は、認証処理部１０７５によるユーザ認証処理の結果、ユーザが正規ユーザであると認証されなかったときには、認証エラー情報を、ページ情報記憶部１０７６に記憶されている認証の失敗を示す認証失敗通知ページ情報と共に通信制御部１０７２及びネットワークインタフェース１０７３を順次介してクライアント端末１００２に送信する。
ところで認証情報記憶部１０７７には、認証処理部１０７５により発行されたサーバ認証結果情報が一時記憶されると共に、当該認証処理部１０７５により、クライアント端末１００２を利用するユーザをユーザ認証処理するときに必要とされる各種認証情報が記憶されている。
音楽データ記憶部１０７８には、上述のＡＴＲＡＣ３形式やＭＰ３形式等で圧縮符号化された複数の音楽データが各々のコンテンツＩＤ情報等の検索キーと対応付けられて記憶されている。
検索部１０７９は、クライアント端末１００２に対し音楽データ配信用のページ情報が送信された結果、当該クライアント端末１００２から送信される、ダウンロード希望の音楽データ検索用の検索キーが格納されそのダウンロード希望の音楽データをダウンロード要求するダウンロード要求信号がネットワークインタフェース１０７３及び通信制御部１０７２を順次介して受信すると、当該受信したダウンロード要求信号からその検索キーを取り出す。
そして検索部１０７９は、かかる検索キーに基づいて、音楽データ記憶部１０７８内の複数の音楽データの中から当該検索キーの示す検索条件に該当するダウンロード希望の音楽データを検索する。
これにより制御部１０７０は、その検索されたダウンロード希望の音楽データを通信制御部１０７２及びネットワークインタフェース１０７３を順次介してクライアント端末１００２に送信する。
また制御部１０７０は、このときクライアント端末１００２への音楽データのダウンロードに伴うユーザに対する課金処理用の課金情報を通信制御部１０７２及びネットワークインタフェース１０７３を順次介して課金サーバ１００８に送信することにより、課金サーバ１００８に対し当該ユーザに対する音楽データのダウンロードに応じた課金処理を実行させる。
（３−５）物販サーバ１００５の機能回路ブロック構成
次に、図１９を用いて物販サーバ１００５の機能回路ブロックによるハードウェア構成を説明する。物販サーバ１００５内の制御部１０９０は、バス１０９１を介して接続される各回路の動作を制御する。
通信制御部１０９２は、制御部１０９０の制御のもと、ネットワークインタフェース１０９３を介してクライアント端末１００２やポータルサーバ１００３等と各種情報を送受信する。
顧客データベース部１０９４には、物販サーバ１００５の運営業者とすでに契約を完了しているユーザのユーザＩＤ情報とパスワード情報とが対応付けられて顧客情報として登録されている。ただし認証処理部１０９５が、クライアント端末１００２から送信される、ポータルサーバ１００３によって発行されたポータル認証結果情報に基づいてユーザを認証処理する機能を有する場合には、顧客データベース部１０９４を設けなくてもよい。
ページ情報記憶部１０９６には、物販サーバ１００５が管理する、販売対象のＣＤやＤＶＤ等のパッケージメディアを紹介するパッケージメディア販売用のページ情報等が記憶されている。
因みにパッケージメディア販売用のページ情報は、ＸＭＬ等の言語によって記述されており、クライアント端末１００２を利用するユーザに対して購入を希望するＣＤやＤＶＤ等のパッケージメディアを選択させることができる。
そして制御部１０９０は、クライアント端末１００２から送信される、パッケージメディア販売用のページ情報を要求するページ情報取得要求信号をネットワークインタフェース１０９３及び通信制御部１０９２を順次介して受信すると、当該受信したページ情報取得要求信号に応じて、ページ情報記憶部１０９６に記憶されたパッケージメディア販売用のページ情報を通信制御部１０９２及びネットワークインタフェース１０９３を順次介してクライアント端末１００２に送信する。
認証処理部１０９５は、クライアント端末１００２から送信される、当該クライアント端末１００２を利用するユーザのユーザＩＤ情報及びパスワード情報をネットワークインタフェース１０９３及び通信制御部１０９２を順次介して受信すると、ユーザ認証処理として、当該受信したユーザＩＤ情報及びパスワード情報が顧客データベース部１０９４に顧客情報として登録されているか否かを確認する。
また認証処理部１０９５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１０９３及び通信制御部１０９２を順次介して受信し、各該受信したポータル認証結果情報を通信制御部１０９２及びネットワークインタフェース１０９３を順次介してポータルサーバ１００３に送信する。
そして認証処理部１０９５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１０９３及び通信制御部１０９２を順次介して受信し、当該受信した確認結果情報に基づいてユーザが音楽関連サービス提供システム１０００の運営業者とすでに契約を完了している正規ユーザであるか否かを確認する。
このようにして認証処理部１０９５は、ユーザ認証処理が終了すると、そのユーザ認証処理の結果を示したサーバ認証結果情報（後述するサービスセッションＩＤ情報）を発行する。
このとき制御部１０９０は、認証処理部１０９５によるユーザ認証処理の結果、ユーザが正規ユーザであると認証されると、ページ情報記憶部１０９６に契約者用として記憶されているパッケージメディア販売用のページ情報をサーバ認証結果情報と共に通信制御部１０９２及びネットワークインタフェース１０９３を順次介してクライアント端末１００２に送信する。
これに対して制御部１０９０は、認証処理部１０９５によるユーザ認証処理の結果、ユーザが正規ユーザであると認証されなかったときには、認証エラー情報を、ページ情報記憶部１０９６に記憶されている認証の失敗を示す認証失敗通知ページ情報と共に通信制御部１０９２及びネットワークインタフェース１０９３を順次介してクライアント端末１００２に送信する。
ところで認証情報記憶部１０９７には、認証処理部１０９５により発行されたサーバ認証結果情報が一時記憶されると共に、当該認証処理部１０９５により、クライアント端末１００２を利用するユーザをユーザ認証処理するときに必要とされる各種認証情報が記憶されている。
パッケージメディア情報記憶部１０９８には、販売対象のＣＤやＤＶＤ等の複数のパッケージメディアに関する情報（以下、これをパッケージメディア情報と呼ぶ）が各々のパッケージメディアＩＤ情報等の検索キーと対応付けられて記憶されている。
検索部１０９９は、クライアント端末１００２に対しパッケージメディア販売用のページ情報が送信された結果、当該クライアント端末１００２から送信される、特定のＣＤやＤＶＤ等のパッケージメディアに関するパッケージメディア情報を要求するメディア情報要求信号がネットワークインタフェース１０９３及び通信制御部１０９２を順次介して受信すると、当該受信したメディア情報要求信号から当該特定のパッケージメディア検索用の検索キーを取り出す。
そして検索部１０９９は、かかる検索キーに基づいて、パッケージメディア情報記憶部１０９８内の複数のパッケージメディア情報の中から当該検索キーの示す検索条件に該当する特定のパッケージメディアのパッケージメディア情報を検索する。
これにより制御部１０９０は、その検索されたパッケージメディア情報を通信制御部１０９２及びネットワークインタフェース１０９３を順次介してクライアント端末１００２に送信し、かくしてユーザに対し特定のパッケージメディアに関するパッケージメディア情報を提示する。
その結果、制御部１０９０は、クライアント端末１００２から送信される、上述の特定のパッケージメディアを購入要求する購入要求信号をネットワークインタフェース１０９３及び通信制御部１０９２を順次介して受信すると、当該クライアント端末１００２を利用するユーザへの当該特定のパッケージメディアの引き渡し手続等の購入処理を実行する。
また制御部１０９０は、特定のパッケージメディアの購入に伴うユーザに対する課金処理用の課金情報を通信制御部１０９２及びネットワークインタフェース１０９３を順次介して課金サーバ１００８に送信することにより、課金サーバ１００８に対し当該ユーザに対する特定のパッケージメディアの購入に応じた課金処理を実行させる。
さらに制御部１０９０は、課金サーバ１００８によるユーザに対する課金処理が完了すると、パッケージメディアの購入処理が完了したことを示す購入完了ページ情報を通信制御部１０９２及びネットワークインタフェース１０９３を順次介してクライアント端末１００２に送信する。
（３−６）ラジオ放送情報配信サーバ１００６の機能回路ブロック構成
次に、図２０を用いてラジオ放送情報配信サーバ１００６の機能回路ブロックによるハードウェア構成を説明する。ラジオ放送情報配信サーバ１００６内の制御部１１１０は、バス１１１１を介して接続される各回路の動作を制御する。
通信制御部１１１２は、制御部１１１０の制御のもと、ネットワークインタフェース１１１３を介してクライアント端末１００２やポータルサーバ１００３等と各種情報を送受信する。
顧客データベース部１１１４には、ラジオ放送情報配信サーバ１００６の運営業者とすでに契約を完了しているユーザのユーザＩＤ情報とパスワード情報とが対応付けられて顧客情報として登録されている。ただし認証処理部１１１５が、クライアント端末１００２から送信される、ポータルサーバ１００３によって発行されたポータル認証結果情報に基づいてユーザを認証処理する機能を有する場合には、顧客データベース部１１１４を設けなくてもよい。
ページ情報記憶部１１１６には、ラジオ放送情報配信サーバ１００６が管理し、当該ラジオ放送情報配信サーバ１００６に対応するラジオ局によってすでに放送されたラジオ番組に関するラジオ放送情報（以下、これを特にオンエアリスト情報と呼ぶ）の取得に利用させるオンエアリスト情報配信用のページ情報等が記憶されている。
因みにオンエアリスト情報配信用のページ情報は、ＸＭＬ等の言語によって記述され、クライアント端末１００２を利用するユーザに対し、ラジオ番組の放送日時情報や番組名等を、取得希望のオンエアリスト情報に対する検索キーとして入力させるための入力ボックス等が設けられている。
オンエアリスト情報記憶部１１１７には、ラジオ放送情報配信サーバ１００６に対応するラジオ局ですでに放送されたラジオ番組に対する番組名、番組放送開始時刻及び番組放送終了時刻等と、当該ラジオ番組内で流された楽曲に対するタイトル、アーティスト名、楽曲放送開始時刻等とをリスト化して生成されたオンエアリスト情報が記憶されている。
そして制御部１１１０は、クライアント端末１００２から送信される、オンエアリスト情報配信用のページ情報を要求するページ情報取得要求信号をネットワークインタフェース１１１３及び通信制御部１１１２を順次介して受信すると、当該受信したページ情報取得要求信号に応じて、ページ情報記憶部１１１６に記憶されたオンエアリスト情報配信用のページ情報を通信制御部１１１２及びネットワークインタフェース１１１３を順次介してクライアント端末１００２に送信する。
その結果、検索部１１１８は、クライアント端末１００２からオンエアリスト情報配信用のページ情報上で入力された取得希望のオンエアリスト情報検索用の検索キーが格納されオンエアリスト情報をダウンロード要求するオンエアリスト情報要求信号が送信されることにより、そのオンエアリスト情報要求信号をネットワークインタフェース１１１３及び通信制御部１１１２を順次介して受信すると、当該受信したオンエアリスト情報要求信号から検索キーを取り出す。
そして検索部１１１８は、かかる検索キーに基づいて、オンエアリスト情報記憶部１１１７内のオンエアリスト情報全体に対し当該検索キーの示す検索条件に該当する所定範囲部分を取得希望のオンエアリスト情報として検索する。
これにより制御部１１１０は、その検索された取得希望のオンエアリスト情報を通信制御部１１１２及びネットワークインタフェース１１１３を順次介してクライアント端末１００２に送信する。
またナウオンエア情報記憶部１１１９には、ラジオ放送情報配信サーバ１００６に対応するラジオ局で現在放送中のラジオ番組に対する番組名、番組放送開始時刻、番組放送終了時刻、当該ラジオ番組内で現時点に流されている楽曲に対するタイトル、アーティスト名、楽曲放送開始時刻等からなるナウオンエア情報が記憶されている。
そして認証処理部１１１５は、クライアント端末１００２からナウオンエア情報を取得要求するナウオンエア情報要求信号と共に送信される、当該クライアント端末１００２を利用するユーザのユーザＩＤ情報及びパスワード情報をネットワークインタフェース１１１３及び通信制御部１１１２を順次介して受信すると、ユーザ認証処理として、当該受信したユーザＩＤ情報及びパスワード情報が顧客データベース部１１１４に顧客情報として登録されているか否かを確認する。
また認証処理部１１１５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１１１３及び通信制御部１１１２を順次介して受信し、当該受信したポータル認証結果情報を通信制御部１１１２及びネットワークインタフェース１１１３を順次介してポータルサーバ１００３に送信する。
そして認証処理部１１１５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１１１３及び通信制御部１１１２を順次介して受信し、当該受信した確認結果情報に基づいてユーザが音楽関連サービス提供システム１０００の運営業者とすでに契約を完了している正規ユーザであるか否かを確認する。
このようにして認証処理部１１１５は、ユーザ認証処理が終了すると、そのユーザ認証処理の結果を示したサーバ認証結果情報（後述するサービスセッションＩＤ情報）を発行する。
このとき制御部１１１０は、認証処理部１１１５によるユーザ認証処理の結果、ユーザが正規ユーザであると認証されると、ナウオンエア情報記憶部１１１９に記憶されているナウオンエア情報をサーバ認証結果情報と共に通信制御部１１１２及びネットワークインタフェース１１１３を順次介してクライアント端末１００２に送信する。
これに対して制御部１１１０は、認証処理部１１１５によるユーザ認証処理の結果、ユーザが正規ユーザであると認証されなかったときには、認証エラー情報を、ページ情報記憶部１１１６に記憶されている認証の失敗を示す認証失敗通知ベージ情報と共に通信制御部１１１２及びネットワークインタフェース１１１３を順次介してクライアント端末１００２に送信する。
このようにして制御部１１１０は、ユーザからナウオンエア情報の取得が要求されたとき、当該ユーザを正規ユーザであると認証したときには、ナウオンエア情報を配信するものの、ユーザを正規ユーザであると認証することができなかったときには、そのユーザに対してナウオンエア情報の配信サービスのようなラジオ放送情報配信サーバ１００６が提供するラジオ放送情報配信サービスを受けさせないようにしている。
ところで認証情報記憶部１１２０には、認証処理部１１１５により発行されたサーバ認証結果情報が一時記憶されると共に、当該認証処理部１１１５により、クライアント端末１００２を利用するユーザをユーザ認証処理するときに必要とされる各種認証情報が記憶されている。
（３−７）各サーバの処理概要
（３−７−１）クライアント端末１００２及びポータルサーバ１００３間のユーザ認証処理手順
次に図２１に示すシーケンスチャートを用いて、クライアント端末１００２とポータルサーバ１００３との間で実行されるユーザ認証処理手順について説明する。
音楽関連サービス提供システム１０００の運営業者と契約しているユーザのクライアント端末１００２において制御部１０２３は、例えばクライアント端末１００２に対して電源を投入する操作が行われ、又はユーザにより操作入力部１０２０の特定の操作ボタンが押下されたことに応じてその操作入力部１０２０で認識された操作入力信号が入力処理部１０２１で操作コマンドに変換されて与えられると、認証要求処理を開始する。
クライアント端末１００２で認証要求処理を開始すると、ステップＳＰ１０００において、制御部１０２３は、認証情報記憶部１０３８に対し予め一時記憶している認証セッションＩＤ情報等を格納した接続要求信号を生成し、当該生成した接続要求信号を通信制御部１０３２及びネットワークインタフェース１０３３を順次介してポータルサーバ１００３に送信する。
因みに認証セッションＩＤ情報は、クライアント端末１００２とポータルサーバ１００３とがユーザ認証処理等の各種処理の実行用に通信接続する毎に、個々の通信接続状態（すなわち、セッション）の識別用としてポータルサーバ１００３によって発行される識別情報である。
なおかかる認証セッションＩＤ情報については、ユーザ認証処理等に利用するうえで、ポータルサーバ１００３による発行時点を基準とした所定の有効期限（例えば１分程度）が設定されている。
従ってポータルサーバ１００３から認証セッションＩＤ情報を取得したクライアント端末１００２は、その認証セッションＩＤ情報を有効期限以内にポータルサーバ１００３に対して提示することができない場合、ポータルサーバ１００３により、当該認証セッションＩＤ情報で特定される通信接続状態が切断されたと判断される。
これによりポータルサーバ１００３は、過去に発行した認証セッションＩＤ情報が、音楽関連サービス提供システム１０００の運営業者と契約してはいないユーザによりユーザ認証処理等に対し不当に利用されることを防止している。
また認証情報記憶部１０３８に一時記憶されている認証セッションＩＤ情報は、クライアント端末１００２とポータルサーバ１００３とが以前にユーザ認証処理等の実行用に通信接続したとき、そのポータルサーバ１００３によって発行されたものである。
クライアント端末１００２から接続要求信号が送信されると、これに応じてステップＳＰ１００１においてポータルサーバ１００３の制御部１０５０は、ネットワークインタフェース１０５３及び通信制御部１０５２を順次介してその接続要求信号を受信し、当該受信した接続要求信号に格納されている認証セッションＩＤ情報等を認証処理部１０５６に送出する。
そして認証処理部１０５６は、制御部１０５０の制御のもと、クライアント端末１００２から接続要求信号として受信した認証セッションＩＤ情報等に基づいてユーザ認証処理を実行する。
その結果、制御部１０５０は、認証処理部１０５６により、クライアント端末１００２から受信した認証セッションＩＤ情報等の有効期限が切れる等して、当該クライアント端末１００２を利用するユーザを正規ユーザであると認証することができなかったときには、認証エラーを示す認証エラー情報を通信制御部１０５２及びネットワークインタフェース１０５３を順次介してクライアント端末１００２に送信する。
ステップＳＰ１００２において、クライアント端末１００２の制御部１０２３は、ポータルサーバ１００３から送信された認証エラー情報をネットワークインタフェース１０３３及び通信制御部１０３２を順次介して受信すると、これに応じて認証情報記憶部１０３８に記憶しているユーザＩＤ情報及びパスワード情報等を読み出し、当該読み出したユーザＩＤ情報及びパスワード情報等を通信制御部１０３２及びネットワークインタフェース１０３３を順次介してポータルサーバ１００３に送信する。
ちなみにこのユーザＩＤ情報及びパスワード情報は、上述した第１の実施の形態におけるユーザ登録処理と同様の処理によって予めポータルサーバ１００３に登録されている。
ステップＳＰ１００３において、ポータルサーバ１００３の制御部１０５０は、クライアント端末１００２から送信されたユーザＩＤ情報及びパスワード情報等をネットワークインタフェース１０５３及び通信制御部１０５２を順次介して受信し、当該受信したユーザＩＤ情報及びパスワード情報等を認証処理部１０５６に送出する。
これにより認証処理部１０５６は、制御部１０５０の制御のもとにユーザ認証処理として、そのクライアント端末１００２から受信したユーザＩＤ情報及びパスワード情報等が、顧客データベース部１０５４に登録されている顧客情報に含まれているか否かを検出する。
その結果、認証処理部１０５６は、クライアント端末１００２を利用するユーザを正規ユーザであると認証すると、制御部１０５０の制御のもとにポータル認証結果情報として、現時点のクライアント端末１００２とポータルサーバ１００３との通信接続状態に対する認証セッションＩＤ情報等を発行すると共に、当該クライアント端末１００２に対して発行した認証セッションＩＤ情報等を認証情報記憶部１０５７に一時記憶する。
そして制御部１０５０は、認証処理部１０５６によりそのクライアント端末１００２に対して発行された認証セッションＩＤ情報等を通信制御部１０５２及びネットワークインタフェース１０５３を順次介してクライアント端末１００２に送信する。
ステップＳＰ１００４において、クライアント端末１００２の制御部１０２３は、ポータルサーバ１００３から送信された認証セッションＩＤ情報等をネットワークインタフェース１０３３及び通信制御部１０３２を順次介して受信し、当該受信した認証セッションＩＤ情報等を認証処理部１０３７に送出する。
そして認証処理部１０３７は、制御部１０２３の制御のもとに、ポータルサーバ１００３から受信したその認証セッションＩＤ情報等を認証情報記憶部１０３８に一時記憶する。
これにより制御部１０２３は、ポータルサーバ１００３に対しページ情報を要求するためのページ情報取得要求信号を、ポータルサーバ１００３から受信して認証情報記憶部１０３８に一時記憶されたその認証セッションＩＤ情報等と共に通信制御部１０３２及びネットワークインタフェース１０３３を順次介してポータルサーバ１００３に送信する。
ステップＳＰ１００５において、ポータルサーバ１００３の制御部１０５０は、クライアント端末１００２から送信されたページ情報取得要求信号及び認証セッションＩＤ情報等をネットワークインタフェース１０５３及び通信制御部１０５２を順次介して受信し、当該受信した認証セッションＩＤ情報等を認証処理部１０５６に送出する。
これにより認証処理部１０５６は、制御部１０５０の制御のもと、クライアント端末１００２から受信した認証セッションＩＤ情報等と、上述のステップＳＰ１００３においてクライアント端末１００２に対し発行して認証情報記憶部１０５７に一時記憶していた認証セッションＩＤ情報等とを比較するようにしてユーザ認証処理を実行する。
その結果ステップＳＰ１００６において、認証処理部１０５６は、クライアント端末１００２を利用するユーザを正規ユーザであると認証すると、当該クライアント端末１００２からのページ情報の取得要求が正当な要求であると判断し、そのクライアント端末１００２に対して発行していた認証セッションＩＤ情報等の有効期限を延長する。
これにより制御部１０５０は、ページ情報記憶部１０５５から、ユーザによって取得要求されたページ情報を読み出すと共に、当該読み出したページ情報を、認証処理部１０５６により有効期限の延長された認証セッションＩＤ情報等と共に通信制御部１０５２及びネットワークインタフェース１０５３を順次介してクライアント端末１００２に送信する。
ステップＳＰ１００７において、クライアント端末１００２の制御部１０２３は、ポータルサーバ１００３から送信されたページ情報と、有効期限の延長された認証セッションＩＤ情報等とをネットワークインタフェース１０３３及び通信制御部１０３２を順次介して受信し、当該受信したページ情報をページ情報生成部１０３６に送出すると共に、その有効期限の延長された認延セッションＩＤ情報等を認証処理部１０３７に送出する。
ページ情報生成部１０３６は、制御部１０２３から与えられたページ情報に基づいて、音楽データ配信サーバ１００４、物販サーバ１００５及びラジオ放送情報配信サーバ１００６へのリンクが埋め込まれたページの映像データを生成し、当該生成した映像データを表示制御部１０２４に送出する。
これにより表示制御部１０２４は、ページ情報生成部１０３６から与えられた映像データに対してディジタルアナログ変換処理を施し、得られたアナログ映像信号を表示部１０２５に送出することにより当該表示部１０２５にそのアナログ映像信号に基づく映像としてポータルサーバ１００３のページを表示させる。
また認証処理部１０３７は、制御部１０２３の制御のもと認証情報記憶部１０３８において、ポータルサーバ１００３から受信した、有効期限の延長された認証セッションＩＤ情報等をその有効期限が延長される前の認証セッションＩＤ情報等に上書きするようにして一時記憶することにより、上述のステップＳＰ１００４において一時記憶していた認証セッションＩＤ情報等を有効期限の延長された認証セッションＩＤ情報等に更新する。
（３−７−２）クライアント端末１００２及び各サーバ１００４乃至１００６間のユーザ認証処理手順
次に、図２２において、クライアント端末１００２と、音楽データ配信サーバ１００４、物販サーバ１００５及びラジオ放送情報配信サーバ１００６との間で実行するユーザ認証処理について以下に説明する。
この場合、かかるユーザ認証処理としては、クライアント端末１００２が図８について上述したようにポータルサーバ１００３からページ情報を一旦取得し、引き続きそのページ情報に埋め込まれたリンクにより音楽データ配信サーバ１００４、物販サーバ１００５及びラジオ放送情報配信サーバ１００６にアクセスして実行されるユーザ認証処理（以下、これを間接アクセス認証処理と呼ぶ）がある。
またかかるユーザ認証処理としては、クライアント端末１００２がポータルサーバ１００３のページ情報を取得せずに、予めブックマークとして登録しているＵＲＬ情報等により音楽データ配信サーバ１００４、物販サーバ１００５及びラジオ放送情報配信サーバ１００６に直接アクセスして実行されるユーザ認証処理（以下、これを直接アクセス認証処理と呼ぶ）もある。
ただし間接アクセス認証処理については、クライアント端末１００２と、音楽データ配信サーバ１００４、物販サーバ１００５及びラジオ放送情報配信サーバ１００６とが何れの組合せであっても同様の手順で実行することができる。
また直接アクセス認証処理についても、クライアント端末１００２と、音楽データ配信サーバ１００４、物販サーバ１００５及びラジオ放送情報配信サーバ１００６とが何れの組合せであっても同様の手順で実行することができる。
そして間接アクセス認証処理及び直接アクセス認証処理では、クライアント端末１００２において音楽データ配信サーバ１００４、物販サーバ１００５及びラジオ放送情報配信サーバ１００６へのアクセスに使用するＵＲＬ情報の取得の仕方のみが異なるだけで、当該ＵＲＬ情報の取得以降には、間接アクセス認証処理及び直接アクセス認証処理の両方ともに同様の手順で実行することができる。
従って以下には、クライアント端末１００２のアクセス先として、説明を簡略化するうえで音楽データ配信サーバ１００４を代表として用い、さらに間接アクセス認証処理及び直接アクセス認証処理をまとめて１つのユーザ認証処理として説明する。
まず、ステップＳＰ１０１０において、クライアント端末１００２の制御部１０２３は、ページ情報にリンクとして埋め込まれたＵＲＬ情報、又はすでにブックマークとして登録しているＵＲＬ情報等に従って、音楽データ配信用のページ情報（他の物販サーバ１００５やラジオ放送情報配信サーバ１００６では、パッケージメディア販売用のページ情報やオンエアリスト情報配信用のページ情報等となる）を取得要求するページ情報取得要求信号と共に、認証情報記憶部１０３８から読み出したサービスセッションＩＤ情報等を通信制御部１０３２及びネットワークインタフェース１０３３を順次介して音楽データ配信サーバ１００４に送信する。
因みにサービスセッションＩＤ情報は、クライアント端末１００２と音楽データ配信サーバ１００４、物販サーバ１００５及びラジオ放送情報配信サーバ１００６とがユーザ認証処理等の各種処理の実行用に通信接続する毎に、個々の通信接続状態（すなわち、セッション）の識別用として、クライアント端末１００２がアクセスした音楽データ配信サーバ１００４、物販サーバ１００５及びラジオ放送情報配信サーバ１００６によって発行される識別情報である。
なおかかるサービスセッションＩＤ情報については、上述した認証セッションＩＤ情報と同様に、ユーザ認証処理等に利用するうえで音楽データ配信サーバ１００４、物販サーバ１００５及びラジオ放送情報配信サーバ１００６による発行時点を基準とした所定の有効期限（例えば１分程度）が設定されている。
従って各サーバ１００４乃至１００６からサービスセッションＩＤ情報を取得したクライアント端末１００２は、そのサービスセッションＩＤ情報を有効期限以内に発行元の音楽データ配信サーバ１００４、物販サーバ１００５及びラジオ放送情報配信サーバ１００６に対して提示することができない場合、これら発行元の音楽データ配信サーバ１００４、物販サーバ１００５及びラジオ放送情報配信サーバ１００６により、当該サービスセッションＩＤ情報で特定される通信接続状態が切断されたと判断される。
これにより音楽データ配信サーバ１００４、物販サーバ１００５及びラジオ放送情報配信サーバ１００６は、過去に発行したサービスセッションＩＤ情報が、音楽関連サービス提供システム１０００の運営業者と契約してはいないユーザによりユーザ認証処理等に対し不当に利用されることを防止している。
また認証情報記憶部１０３８に一時記憶されているサービスセッションＩＤ情報は、クライアント端末１００２と音楽データ配信サーバ１００４、物販サーバ１００５及びラジオ放送情報配信サーバ１００６とが以前にユーザ認証処理等の実行用に通信接続したとき、そのアクセス先の音楽データ配信サーバ１００４、物販サーバ１００５及びラジオ放送情報配信サーバ１００６によって発行されたものである。
ステップＳＰ１０１１において、音楽データ配信サーバ１００４の制御部１０７０は、クライアント端末１００２から送信されたページ情報取得要求信号及びサービスセッションＩＤ情報等をネットワークインタフェース１０７３及び通信制御部１０７２を順次介して受信し、当該受信したサービスセッションＩＤ情報等を認証処理部１０７５に送出する。
認証処理部１０７５は、制御部１０７０の制御のもと、クライアント端末１００２から受信したサービスセッションＩＤ情報等と、認証情報記憶部１０７７にすでに一時記憶しているサービスセッションＩＤ情報等とを比較するようにしてユーザ認証処理を実行する。
その結果、認証処理部１０７５は、例えばクライアント端末１００２から受信したサービスセッションＩＤ情報の有効期限がすでに切れていることにより、当該クライアント端末１００２を利用するユーザを正規ユーザであるとは認証することができないと、クライアント端末１００２からの音楽データ配信用のページ情報の取得要求が正当な要求ではないと判断する。
そして制御部１０７０は、認証処理部１０７５によりクライアント端末１００２を利用するユーザが正規ユーザであると認証されないと、認証エラーを示す認証エラー情報と、音楽データ配信サーバ１００４を識別するショップコードとを通信制御部１０７２及びネットワークインタフェース１０７３を順次介してクライアント端末１００２に送信する。
ステップＳＰ１０１２において、クライアント端末１００２の制御部１０２３は、音楽データ配信サーバ１００４から送信された認証エラー情報及びショップコードをネットワークインタフェース１０３３及び通信制御部１０３２を順次介して受信し、当該受信した認証エラー情報により、音楽データ配信サーバ１００４においてユーザが正規ユーザとして認証されなかったことを認識すると共に、その音楽データ配信サーバ１００４から受信したショップコードを認証情報記憶部１０３８に一時記憶する。
そして制御部１０２３は、ポータルサーバ１００３に対して、音楽データ配信サーバ１００４にアクセスするための認証チケットを発行要求する認証チケット発行要求信号を生成し、当該生成した認証チケット発行要求信号を音楽データ配信サーバ１００４のショップコード、及びすでにポータルサーバ１００３から受信して認証情報記憶部１０３８に一時記憶している認証セッションＩＤ情報等と共に通信制御部１０３２及びネットワークインタフェース１０３３を順次介してポータルサーバ１００３に送信する。
ステップＳＰ１０１３において、ポータルサーバ１００３の制御部１０５０は、クライアント端末１００２から送信された認証チケット発行要求信号、ショップコード及び認証セッションＩＤ情報等をネットワークインタフェース１０５３及び通信制御部１０５２を順次介して受信し、これらを認証処理部１０５６に送出する。
これにより認証処理部１０５６は、制御部１０５０の制御のもと、そのクライアント端末１００２から受信した認証セッションＩＤ情報等と、認証情報記憶部１０５７に対しすでに一時記憶している認証セッションＩＤ情報等とを比較するようにしてユーザ認証処理を実行する。
その結果、認証処理部１０５６は、例えばクライアント端末１００２から受信した認証セッションＩＤ情報の有効期限がすでに切れており、当該クライアント端末１００２を利用するユーザを正規ユーザであるとは認証することができないと、クライアント端末１００２からの認証チケットの発行要求が正当な要求ではないと判断する。
そして制御部１０５０は、認証処理部１０５６によりクライアント端末１００２を利用するユーザが正規ユーザであると認証されないと、認証エラーを示す認証エラー情報を通信制御部１０５２及びネットワークインタフェース１０５３を順次介してクライアント端末１００２に送信する。
これに対して認証処理部１０５６は、例えばクライアント端末１００２から受信した認証セッションＩＤ情報の有効期限が未だ切れてはいないことで、クライアント端末１００２を利用するユーザを正規ユーザであると認証すると、当該クライアント端末１００２からの認証チケットの発行要求が正当な要求であると判断する。
そして制御部１０５０は、認証処理部１０５６により、クライアント端末１００２を利用するユーザが正規ユーザであると認証されると、後述するステップＳＰ１０１８に移る。
ステップＳＰ１０１４において、クライアント端末１００２の制御部１０２３は、ポータルサーバ１００３から送信された認証エラー情報をネットワークインタフェース１０３３及び通信制御部１０３２を順次介して受信すると、認証情報記憶部１０３８に記憶されているユーザＩＤ情報及びパスワード情報等を読み出すと共に、当該読み出したユーザＩＤ情報及びパスワード情報等を通信制御部１０３２及びネットワークインタフェース１０３３を順次介してポータルサーバ１００３に送信する。
ステップＳＰ１０１５において、ポータルサーバ１００３の制御部１０５０は、クライアント端末１００２から送信されたユーザＩＤ情報及びパスワード情報等をネットワークインタフェース１０５３及び通信制御部１０５２を順次介して受信し、当該受信したユーザＩＤ情報及びパスワード情報等を認証処理部１０５６に送出する。
これにより認証処理部１０５６は、制御部１０５０の制御のもと、クライアント端末１００２から受信したユーザＩＤ情報及びパスワード情報等が、顧客データベース部１０５４に登録されている顧客情報に含まれているか否かを検出するようにしてユーザ認証処理を実行する。
その結果、認証処理部１０５６は、クライアント端末１００２を利用するユーザを正規ユーザであると認証すると、制御部１０５０の制御のもとポータル認証結果情報として、現時点のクライアント端末１００２とポータルサーバ１００３との通信接続状態に対する認証セッションＩＤ情報等を発行すると共に、当該クライアント端末１００２に対して発行した認証セッションＩＤ情報等を認証情報記憶部１０５７に一時記憶する。
そして制御部１０５０は、認証処理部１０５６によりそのクライアント端末１００２に対して発行された認証セッションＩＤ情報等を通信制御部１０５２及びネットワークインタフェース１０５３を順次介してクライアント端末１００２に送信する。
ステップＳＰ１０１６において、クライアント端末１００２の制御部１０２３は、ポータルサーバ１００３から送信された認証セッションＩＤ情報等をネットワークインタフェース１０３３及び通信制御部１０３２を順次介して受信し、当該受信した認証セッションＩＤ情報等を認証処理部１０３７により認証情報記憶部１０３８に一時記憶する。
そして制御部１０２３は、再びポータルサーバ１００３に対して、認証チケットを発行要求する認証チケット発行要求信号を生成すると共に、当該生成した認証チケット発行要求信号を、認証情報記憶部１０３８にすでに一時記憶しているショップコード、及びこのとき一時記憶した認証セッションＩＤ情報等と共に通信制御部１０３２及びネットワークインタフェース１０３３を順次介してポータルサーバ１００３に送信する。
ここで本実施の形態では、クライアント端末１００２において認証情報記憶部１０３８にショップコードを一時記憶しておいたが、これに限らず、当該クライアント端末１００２とポータルサーバ１００３との間でステップＳＰ１０１２乃至ステップＳＰ１０１６の処理を実行する際にショップコードを順次送受信することにより、クライアント端末１００２において認証情報記憶部１０３８にショップコードを一時記憶しなくてもステップＳＰ１０１６においてポータルサーバ１００３に対しショップコードを送信することが可能である。
ステップＳＰ１０１７において、ポータルサーバ１００３の制御部１０５０は、クライアント端末１００２から送信された認証チケット発行要求信号、ショップコード及び認証セッションＩＤ情報等をネットワークインタフェース１０５３及び通信制御部１０５２を順次介して受信し、これらを認証処理部１０５６に送出する。
これにより認証処理部１０５６は、制御部１０５０の制御のもと、そのクライアント端末１００２から受信した認証セッションＩＤ情報等と、認証情報記憶部１０５７にすでに一時記憶している認証セッションＩＤ情報等とを比較するようにしてユーザ認証処理を実行する。
その結果、認証処理部１０５６は、例えばクライアント端末１００２から受信した認証セッションＩＤ情報等の有効期限が未だ切れてはいないために、クライアント端末１００２を利用するユーザを正規ユーザであると認証すると、当該クライアント端末１００２からの認証チケットの発行要求が正当な要求であると判断する。
そして制御部１０５０は、認証処理部１０５６により、クライアント端末１００２を利用するユーザが正規ユーザであると認証されると、次のステップＳＰ１０１８に移る。
ステップＳＰ１０１８において、認証処理部１０５６は、制御部１０５０の制御のもと、上述のステップＳＰ１０１７においてクライアント端末１００２から受信したショップコード及び認証チケット発行要求信号に基づいて、ポータル認証結果情報として、当該ショップコードの示す音楽データ配信サーバ１００４へのアクセスを可能にする認証チケット等を発行する。
そして認証処理部１０５６は、制御部１０５０の制御のもと、その発行した認証チケット等を認証情報記憶部１０５７に一時記憶すると共に、クライアント端末１００２に対して発行していた認証セッションＩＤ情報等の有効期限を延長する。
これにより制御部１０５０は、認証チケット等を、認証処理部１０５６により有効期限の延長された認証セッションＩＤ情報等と共に通信制御部１０５２及びネットワークインタフェース１０５３を順次介してクライアント端末１００２に送信する。
ステップＳＰ１０１９において、クライアント端末１００２の制御部１０２３は、ポータルサーバ１００３から送信された認証チケット等と、有効期限の延長された認証セッションＩＤ情報等とをネットワークインタフェース１０３３及び通信制御部１０３２を順次介して受信し、当該受信した認証セッションＩＤ情報を認証処理部１０３７に送出する。
そして制御部１０２３は、そのポータルサーバ１００３から受信した認証チケット等を認証要求信号と共に通信制御部１０３２及びネットワークインタフェース１０９３を順次介して音楽データ配信サーバ１００４に送信する。
また認証処理部１０３７は、このとき制御部１０２３の制御のもとに認証情報記憶部１０３８において、ポータルサーバ１００３から受信した有効期限の延長されている認証セッションＩＤ情報等をその有効期限が延長される前の認証セッションＩＤ情報等に上書きするようにして一時記憶することにより、上述のステップＳＰ１０１６において一時記憶していた認証セッションＩＤ情報等を有効期限の延長された認証セッションＩＤ情報等に更新する。
ステップＳＰ１０２０において、音楽データ配信サーバ１００４の制御部１０７０は、クライアント端末１００２から送信された認証要求信号及び認証チケット等をネットワークインタフェース１０７３及び通信制御部１０７２を順次介して受信する。
そして制御部１０７０は、そのクライアント端末１００２から受信した認証チケット等を当該認証チケット等の確認を要求する認証チケット確認要求信号と共に通信制御部１０７２及びネットワークインタフェース１０７３を順次介してポータルサーバ１００３に送信する。
ステップＳＰ１０２１において、ポータルサーバ１００３の制御部１０５０は、音楽データ配信サーバ１００４から送信された認証チケット確認要求信号及び認証チケット等をネットワークインタフェース１０５３及び通信制御部１０５２を順次介して受信し、当該受信した認証チケット確認要求信号及び認証チケット等を認証処理部１０５６に送出する。
そして認証処理部１０５６は、制御部１０５０の制御のもと認証チケット確認要求信号に応じて、その音楽データ配信サーバ１００４から受信した認証チケット等と、認証情報記憶部１０５７にすでに一時記憶している認証チケット等とを比較するようにして、当該音楽データ配信サーバ１００４から受信した認証チケットに対する確認処理を実行する。
その結果、制御部１０５０は、認証処理部１０５６により、音楽データ配信サーバ１００４から受信した認証チケット等が正規の認証チケット等であると確認されると、当該認証チケット等を正規の認証チケット等であると確認したことを示す確認結果情報を通信制御部１０５２及びネットワークインタフェース１０５３を順次介して音楽データ配信サーバ１００４に送信する。
ステップＳＰ１０２２において、音楽データ配信サーバ１００４の制御部１０７０は、ポータルサーバ１００３から送信された確認結果情報をネットワークインタフェース１０７３及び通信制御部１０７２を順次介して受信し、当該受信した確認結果情報を認証処理部１０７５に送出する。
これにより認証処理部１０７５は、制御部１０７０の制御のもとにその確認結果情報に応じ、サーバ認証結果情報として、現時点のクライアント端末１００２と音楽データ配信サーバ１００４との通信接続状態に対するサービスセッションＩＤ情報等を発行すると共に、当該発行したサービスセッションＩＤ情報等を認証情報記憶部１０７７に一時記憶する。
また制御部１０７０は、認証処理部１０７５によりそのクライアント端末１００２に対して発行されたサービスセッションＩＤ情報等を通信制御部１０７２及びネットワークインタフェース１０７３を順次介してクライアント端末１００２に送信する。
ステップＳＰ１０２３において、クライアント端末１００２の制御部１０２３は、音楽データ配信サーバ１００４から送信されたサービスセッションＩＤ情報等をネットワークインタフェース１０３３及び通信制御部１０３２を順次介して受信し、当該受信したサービスセッションＩＤ情報等を認証処理部１０３７により認証情報記憶部１０３８に一時記憶させる。
これにより制御部１０２３は、音楽データ配信用のページ情報を要求するページ情報取得要求信号を、音楽データ配信サーバ１００４から受信して認証情報記憶部１０３８に一時記憶させたサービスセッションＩＤ情報等と共に通信制御部１０３２及びネットワークインタフェース１０３３を順次介して音楽データ配信サーバ１００４に送信する。
ステップＳＰ１０２４において、音楽データ配信サーバ１００４の制御部１０７０は、クライアント端末１００２から送信されたページ情報取得要求信号及びサービスセッションＩＤ情報等をネットワークインタフェース１０７３及び通信制御部１０７２を順次介して受信し、当該受信したサービスセッションＩＤ情報等を認証処理部１０７５に送出する。
これにより認証処理部１０７５は、制御部１０７０の制御のもと、クライアント端末１００２から受信したサービスセッションＩＤ情報等と、上述のステップＳＰ１０２２においてすでにクライアント端末１００２に対し発行して認証情報記憶部１０７７に一時記憶していたサービスセッションＩＤ情報等とを比較するようにしてユーザ認証処理を実行する。
その結果、認証処理部１０７５は、例えばクライアント端末１００２から受信したサービスセッションＩＤ情報等の有効期限が未だ切れてはいないために、そのクライアント端末１００２を利用するユーザを正規ユーザであると認証すると、当該クライアント端末１００２からの音楽データ配信用のページ情報の取得要求が正当な要求であると判断する。
そして制御部１０７０は、認証処理部１０７５により、クライアント端末１００２を利用するユーザが正規ユーザであると認証されると、次のステップＳＰ１０２５に移る。
ステップＳＰ１０２５において、制御部１０７０は、ページ情報記憶部１０７６から、ユーザにより取得要求された音楽データ配信用のページ情報を読み出すと共に、認証処理部１０７５により、クライアント端末１００２に対して発行していたサービスセッションＩＤ情報等の有効期限を延長させる。
そして制御部１０７０は、そのページ情報記憶部１０７６から読み出した音楽データ配信用のページ情報を、認証処理部１０７５により有効期限を延長させたサービスセッションＩＤ情報等と共に通信制御部１０７２及びネットワークインタフェース１０７３を順次介してクライアント端末１００２に送信する。
ステップＳＰ１０２６において、クライアント端末１００２の制御部１０２３は、音楽データ配信サーバ１００４から送信された音楽データ配信用のページ情報と、有効期限の延長されたサービスセッションＩＤ情報等とをネットワークインタフェース１０３３及び通信制御部１０３２を順次介して受信し、当該受信した音楽データ配信用のページ情報をページ情報生成部１０３６に送出すると共に、その音楽データ配信サーバ１００４から受信したサービスセッションＩＤ情報等を認証処理部１０３７に送出する。
これにより認証処理部１０３７は、制御部１０２３の制御のもと認証情報記憶部１０３８において、音楽データ配信サーバ１００４から受信した有効期限の延長されているサービスセッションＩＤ情報等をその有効期限が延長される前のサービスセッションＩＤ情報等に上書きするようにして一時記憶することにより、上述のステップＳＰ１０２３において一時記憶していたサービスセッションＩＤ情報等を有効期限の延長されたサービスセッションＩＤ情報等に更新する。
またページ情報生成部１０３６は、音楽データ配信用のページ情報に基づく映像データを生成し、当該生成した映像データを表示制御部１０２４に送出する。
これにより表示制御部１０２４は、ページ情報生成部１０３６から与えられた映像データに対しディジタルアナログ変換処理を施し、得られたアナログ映像信号を表示部１０２５に送出することにより当該表示部１０２５にそのアナログ映像信号に基づく映像として音楽データ配信用のページを表示する。
以上の構成によれば、この第２の実施の形態による音楽関連サービス提供システム１０００においても、第１の実施の形態と同様の効果を得ることができる。
（４）他の実施の形態
なお、上述した第１及び第２の実施の形態における各種処理に関しては、当該各種処理の内容を記述したプログラムによって提供されるようにしてもよい。そのプログラムをコンピュータで実行することにより、上記処理機能がコンピュータ上で実現される。
また上述した第１及び第２の実施の形態における処理内容を記述したプログラムは、コンピュータで読み取り可能な記録媒体に記録しておいてもよい。ここで、コンピュータで読み取り可能な記録媒体としては、磁気記録装置、光ディスク、光磁気記録媒体、半導体メモリなどがある。磁気記録装置には、ハードディスク装置（ＨＤＤ）フレキシブルディスク（ＦＤ）、磁気テープなどがある。光ディスクには、ＤＶＤ、ＤＶＤ−ＲＡＭ、ＣＤ−ＲＯＭ（Ｒｅａｄ  Ｏｎｌｙ  Ｍｅｍｏｒｙ）、ＣＤ−Ｒ（Ｒｅｃｏｒｄａｂｌｅ）／ＲＷ（Ｒｅｗｒｉｔａｂｌｅ）などがある。光磁気記録媒体には、ＭＯ（Ｍａｇｎｅｔｏ−Ｏｐｔｉｃａｌ  ｄｉｓｋ）などがある。
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
さらに上述の第１及び第２の実施の形態においては、端末装置１０及びクライアント端末１００２が受信可能な放送としてラジオ局から放送されるラジオ放送を適用したが、これに限らず、端末装置１０及びクライアント端末１００２がインターネットラジオ放送や衛星ラジオ放送を受信して、その関連情報及びラジオ放送情報を取得するようにしたり、或いはテレビジョン用の放送局から放送されるテレビジョン放送を受信し、そのテレビジョン放送のテレビジョン番組に関する各種放送情報等をネットワーク上のサーバから取得するようにしても良い。
さらに上述の第１及び第２の実施の形態においては、ハードウェア回路ブロック、機能回路ブロック及びプログラムモジュールを端末装置１０及びクライアント端末１００２に実装した場合について述べたが、本発明はこれに限らず、これらを携帯電話機やパーソナルコンピュータ等、端末装置１０及びクライアント端末１００２以外の種々の端末に実装するようにしてもよく、これらハードウェア回路ブロック、機能回路ブロック及びプログラムモジュールを実装した端末であれば、上述した端末装置１０及びクライアント端末１００２と同様の処理を実現することができる。
さらに上述の第２の実施の形態においては、受信手段及び送信手段としての通信制御部１０５２と、記憶手段としての顧客データベース部１０５４と、削除手段としての制御部１０５０とによって情報処理装置としてのポータルサーバ１００３を構成するようにした場合について述べたが、本発明はこれに限らず、その他種々の回構成でなる受信手段と、記憶手段と、削除手段と、送信手段とによって情報処理装置を構成するようにしても良い。
産業上の利用の可能性
本発明は、音楽関連サービスを提供するネットワークシステム以外に、例えば映像コンテンツを提供するサービス等の種々のネットワークシステムでも利用できる。
【図１】
2005015420.tif 000003
【図２】
2005015420.tif 000004
【図３】
2005015420.tif 000005
【図４】
2005015420.tif 000006
【図５】
2005015420.tif 000007
【図６】
2005015420.tif 000008
【図７】
2005015420.tif 000009
【図８】
2005015420.tif 000010
【図９】
2005015420.tif 000011
【図１０】
2005015420.tif 000012
【図１１】
2005015420.tif 000013
【図１２】
2005015420.tif 000014
【図１３】
2005015420.tif 000015
【図１４】
2005015420.tif 000016
【図１５】
2005015420.tif 000017
【図１６】
2005015420.tif 000018
【図１７】
2005015420.tif 000019
【図１８】
2005015420.tif 000020
【図１９】
2005015420.tif 000021
【図２０】
2005015420.tif 000022
【図２１】
2005015420.tif 000023
【図２２】
2005015420.tif 000024
【国際調査報告】
2005015420.tif 000025
2005015420.tif 000026
2005015420.tif 000027